(57)【特許請求の範囲】
【請求項１】
キャリアアグリゲーション時分割複信（ＴＤＤ）システム中において、アグリゲーションされたサービスセルはプライマリーサービスセルおよび第２サービスセルを含み、前記アグリゲーションされたサービスセルの上り下り設定が異なりかつ物理上りコントロールチャネルフォーマット１ｂ（ＰＵＣＣＨ  ｆｏｒｍａｔ  １ｂ）とチャネルセレクションを組み合わせる方式を用いてハイブリッド自動再送要求確認（ＨＡＲＱ−ＡＣＫ）をフィードバックするように設定する時、前記第２サービスセルが従った物理下り共有チャネル（ＰＤＳＣＨ）とＨＡＲＱ−ＡＣＫ応答情報のタイミング関係に基づいて、上りサブフレームが対応したフィードバックウィンドウ内のアグリゲーションされたサービスセルの下りサブフレームセットを確定し、  前記上りサブフレームが対応したフィードバックウィンドウ内のアグリゲーションされたサービスセルの下りサブフレームセットの間の関係に基づいて、前記ＨＡＲＱ−ＡＣＫ応答情報の送信方式および前記ＨＡＲＱ−ＡＣＫ応答情報を送信する時使用する物理上りコントロールチャネル（ＰＵＣＣＨ）リソースを確定し、  確定された前記ＰＵＣＣＨリソースにおいて確定された前記ＨＡＲＱ−ＡＣＫ応答情報送信方式を用いて前記ＨＡＲＱ−ＡＣＫ応答情報を送信し、 前記上りサブフレームが対応した第２サービスセルの下りサブフレームセットが空集合ではなく、前記上りサブフレームが対応したプライマリーサービスセルの下りサブフレームセットが空集合である時、前記上りサブフレームが対応したフィードバックウィンドウ内のアグリゲーションされたサービスセルの下りサブフレームセットの間の関係に基づいて、前記ＨＡＲＱ−ＡＣＫ応答情報の送信方式を確定することおよびＨＡＲＱ−ＡＣＫ応答情報を送信する時使用するＰＵＣＣＨリソースを確定することは、 ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨに対応するＨＡＲＱ−ＡＣＫ応答情報を送信し、そのうち、ＰＵＣＣＨ  ｆｏｒｍａｔ  １ｂとチャネルセレクションを組み合わせる時使用するマッピングテーブルは、前記上りサブフレームが対応した第２サービスセルの下りサブフレームセット（Ｋｓ）の大きさに基づいて確定され、前記マッピングテーブルにおけるプライマリーサービスセルのＨＡＲＱ−ＡＣＫ応答情報は、不連続送信（ＤＴＸ）状態に設定され、前記第２サービスセルが対応したＰＵＣＣＨリソースは高層設定と動的指示シグナリングとを連合する方式により確定されることを含むハイブリッド自動再送要求確認応答情報送信方法。
【請求項２】
前記第２サービスセルの上り下り設定での下りサブフレーム集合がプライマリーサービスセルの上り下り設定下での下りサブフレーム集合のサブセットである時、前記第２サービスセルのＰＤＳＣＨとＨＡＲＱ−ＡＣＫ応答情報のタイミング関係はプライマリーサービスセルが対応したＰＤＳＣＨとＨＡＲＱ−ＡＣＫ応答情報のタイミング関係に従い、  前記第２サービスセルの上り下り設定での下りサブフレーム集合がプライマリーサービスセルの上り下り設定での下りサブフレーム集合のサブセットではない時、前記第２サービスセルのＰＤＳＣＨとＨＡＲＱ−ＡＣＫ応答情報のタイミング関係は前記プライマリーサービスセルが対応したＰＤＳＣＨとＨＡＲＱ−ＡＣＫ応答情報のタイミング関係に従い、または前記第２サービスセルが対応したＰＤＳＣＨとＨＡＲＱ−ＡＣＫ応答情報のタイミング関係に従い、または参照上り下り設定Ｘが対応したＰＤＳＣＨとＨＡＲＱタイミング関係に従い、そのうち、前記参照上り下り設定Ｘは、上り下り設定での上りサブフレーム集合がプライマリーサービスセルの上り下り設定での上りサブフレーム集合のサブセットでもあり、第２サービスセルの上り下り設定での上りサブフレーム集合のサブセットでもあるという条件を満たす上り下り設定のうち、下りサブフレーム集合が最小である上り下り設定であるという方式で、前記第２サービスセルのＰＤＳＣＨとＨＡＲＱ−ＡＣＫ応答情報のタイミング関係を確定する請求項１に記載の方法。
【請求項３】
ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨに対応するＨＡＲＱ−ＡＣＫ応答情報を送信することを確定すると、  （Ｋｓ）が１つのみの要素を含む時、すなわち前記上りサブフレームは第２サービスセルの１つの下りサブフレームのＨＡＲＱ−ＡＣＫ応答情報をフィードバックする必要がある時、第２サービスセルが１つの伝送ブロックのみを含む伝送モードに設定されると、ＴＤＤシステムキャリアがアグリゲーションする時Ａ＝２のチャネルを用いてマッピングテーブルを選択し、プライマリーサービスセルが対応したＨＡＲＱ−ＡＣＫ応答情報はＤＴＸに設定され、第２サービスセルが対応した１つのＰＵＣＣＨリソースは高層設定と動的指示シグナリングを組み合わせる方式により取得され、第２サービスセルが２つの伝送ブロックをバックアップする伝送モードに設定されると、ＴＤＤシステムキャリアがアグリゲーションする時Ａ＝３のチャネルを用いてマッピングテーブルを選択し、プライマリーサービスセルが対応したＨＡＲＱ−ＡＣＫ応答情報はＤＴＸに設定され、第２サービスセルが対応した２つのＰＵＣＣＨリソースは高層設定と動的指示シグナリングを組み合わせる方式により確定され、  （Ｋｓ）に含まれる要素が２つである時、すなわち前記上りサブフレームは第２サービスセルの２つの下りサブフレームのＨＡＲＱ−ＡＣＫ応答情報をフィードバックする必要がある時、前記２つの下りサブフレームのＨＡＲＱ−ＡＣＫ応答情報を空間バインディングした後、前記２つの下りサブフレームが対応した２ビットＨＡＲＱ−ＡＣＫ応答情報を取得し、ＴＤＤシステムキャリアがアグリゲーションする時Ａ＝４のチャネルを用いてマッピングテーブルを選択し、プライマリーサービスセルが対応したＨＡＲＱ−ＡＣＫ応答情報はＤＴＸに設定され、第２サービスセルが対応した２つのＰＵＣＣＨリソースは高層設定と動的指示シグナリングを組み合わせる方式により確定され、  （Ｋｓ）に含まれる要素が２つを超える時、すなわち前記上りサブフレームがフィードバックする必要がある第２サービスセル下りサブフレームのＨＡＲＱ−ＡＣＫ応答情報は２つを超える時、前記複数の下りサブフレームのＨＡＲＱ−ＡＣＫ応答情報を空間バインディングした後、さらに時間領域バインディング操作を行い、２ビットＨＡＲＱ−ＡＣＫ応答情報を取得した後、ＰＵＣＣＨ  ｆｏｒｍａｔ  １ｂを用いて前記２ビットＨＡＲＱ−ＡＣＫ応答情報を送信し、ＴＤＤシステムキャリアがアグリゲーションする時Ｍ＝３またはＭ＝４（Ｍは（Ｋｓ）の大きさである）のチャネルを用いてマッピングテーブルを選択し、プライマリーサービスセルが対応したＨＡＲＱ−ＡＣＫ応答情報はＤＴＸに設定され、第２サービスセルが対応した２つのＰＵＣＣＨリソースは高層設定と動的指示シグナリングを組み合わせる方式により確定される請求項１または２に記載の方法。
【請求項４】
前記上りサブフレームが対応した第２サービスセルの下りサブフレームセット（Ｋｓ）が空集合ではなく、前記上りサブフレームが対応したプライマリーサービスセルの下りサブフレームセット（Ｋｐ）も空集合ではなく、かつ（Ｋｓ）と（Ｋｐ）の共通集合は空集合である時、前記上りサブフレームが対応したフィードバックウィンドウ内のアグリゲーションされたサービスセルの下りサブフレームセットの間の関係に基づいて、ＨＡＲＱ−ＡＣＫ応答情報の送信方式を確定するおよびＨＡＲＱ−ＡＣＫ応答情報を送信する時使用するＰＵＣＣＨリソースを確定することは、  ＴＤＤシステムが複数のサービスセルを設定する時のＰＵＣＣＨ  ｆｏｒｍａｔ  １ｂとチャネルセレクションを組み合わせる方式を用いてＨＡＲＱ−ＡＣＫ応答情報を送信し、そのうち、ＰＵＣＣＨ  ｆｏｒｍａｔ  １ｂとチャネルセレクションを組み合わせる時使用するマッピングテーブルは（Ｋｓ）および（Ｋｐ）の集合大きさのうちの大きい一方に基づいて確定され、マッピングテーブルにおいて対応する下りサブフレームがないＨＡＲＱ−ＡＣＫ応答情報はＤＴＸ状態に設定され、第２サービスセルに対応するＰＵＣＣＨリソースは高層設定と動的指示シグナリングを組み合わせる方式により確定されることを含む請求項１または２に記載の方法。
【請求項５】
前記上りサブフレームが対応した第２サービスセルの下りサブフレームセット（Ｋｓ）が空集合ではなく、前記上りサブフレームが対応したプライマリーサービスセルの下りサブフレームセット（Ｋｐ）も空集合ではなく、かつ（Ｋｓ）と（Ｋｐ）の共通集合が空集合ではない時、前記上りサブフレームが対応したフィードバックウィンドウ内のアグリゲーションされたサービスセルの下りサブフレームセットの間の関係に基づいて、ＨＡＲＱ−ＡＣＫ応答情報の送信方式およびＨＡＲＱ−ＡＣＫ応答情報を送信する時使用するＰＵＣＣＨリソースを確定することは、  （Ｋｓ）と（Ｋｐ）の共通集合が対応した下りサブフレームに、第２サービスセルのフィードバックウィンドウ内の下りＤＡＩ＝１およびＤＡＩ＝２の下りサブフレームを含まないと、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨに対応するＨＡＲＱ−ＡＣＫ応答情報を送信し、そのうち、ＰＵＣＣＨ  ｆｏｒｍａｔ  １ｂとチャネルセレクションを組み合わせる時使用するマッピングテーブルは（Ｋｓ）および（Ｋｐ）の集合大きさのうちの大きい方に基づいて確定され、前記マッピングテーブルにおいて対応する下りサブフレームがないＨＡＲＱ−ＡＣＫ応答情報はＤＴＸ状態に設定され、第２サービスセルに対応する２つのＰＵＣＣＨリソース【数１】
0005891336.tif 000036
は高層設定と動的指示シグナリングを組み合わせる方式により確定されること、  （Ｋｓ）と（Ｋｐ）の共通集合が対応した下りサブフレームに、第２サービスセルのフィードバックウィンドウ内の下りＤＡＩ＝１またはＤＡＩ＝２の１つの下りサブフレームを含むと、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨに対応するＨＡＲＱ−ＡＣＫ応答情報を送信し、そのうち、ＰＵＣＣＨ  ｆｏｒｍａｔ  １ｂとチャネルセレクションを組み合わせる時使用するマッピングテーブルは（Ｋｓ）と（Ｋｐ）の集合大きさのうちの大きい方に基づいて確定され、前記マッピングテーブルにおいて対応する下りサブフレームがないＨＡＲＱ−ＡＣＫ応答情報はＤＴＸ状態に設定され、かつ、前記第２サービスセルがクロスキャリアススケジューリングを用いる時、前記第２サービスセルに対応するそのうちの一方の
【数２】
0005891336.tif 000037
（Ｋｓ）と（Ｋｐ）の共通集合が対応した下りサブフレームに、第２サービスセルのフィードバックウィンドウ内の下りＤＡＩ＝１およびＤＡＩ＝２の下りサブフレームを含むと、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨに対応するＨＡＲＱ−ＡＣＫ応答情報を送信し、そのうち、ＰＵＣＣＨ  ｆｏｒｍａｔ  １ｂとチャネルセレクションを組み合わせる時使用するマッピングテーブルは（Ｋｓ）と（Ｋｐ）の集合大きさのうちの大きい方に基づいて確定され、前記マッピングテーブルにおいて対応する下りサブフレームがないＨＡＲＱ−ＡＣＫ応答情報はＤＴＸ状態に設定され、かつ、前記第２サービスセルがクロスキャリアススケジューリングを用いる時、前記第２サービスセルに対応する２つのＰＵＣＣＨソース
【数３】
0005891336.tif 000038
を含む請求項１または２に記載の方法。
【請求項６】
前記上りサブフレームが対応した第２サービスセルの下りサブフレームセット（Ｋｓ）が前記上りサブフレームが対応したプライマリーサービスセルの下りサブフレームセット（Ｋｐ）の１つのサブセットである時、または（Ｋｓ）が（Ｋｐ）に等しい時、前記上りサブフレームが対応したフィードバックウィンドウ内のアグリゲーションされたサービスセルの下りサブフレームセットの間の関係に基づいて、ＨＡＲＱ−ＡＣＫ応答情報の送信方式を確定するおよびＨＡＲＱ−ＡＣＫ応答情報を送信する時使用するＰＵＣＣＨリソースを確定するステップは、  前記第２サービスセルがクロスキャリアススケジューリングを用いる時、ＰＵＣＣＨリソースとＰＤＣＣＨのＣＣＥインデックスの暗黙的マッピング関係に基づいて前記第２サービスセルが対応したＰＵＣＣＨリソースを確定し、前記第２サービスセルがクロスキャリアススケジューリングを用いていない時、前記第２サービスセルに対応するＰＵＣＣＨリソースは高層設定と動的指示シグナリングを組み合わせる方式により確定されること、または、前記第２サービスセルがクロスキャリアススケジューリングを用いるかどうかにもかかわらず、前記第２サービスセルに対応するものはいずれも高層設定と動的指示シグナリングを組み合わせる方式により確定されることを含む請求項１または２に記載の方法。
【請求項７】
上りサブフレームが対応したフィードバックウィンドウ内のアグリゲーションされたサービスセルの下りサブフレームセットの間の関係に基づいて、ハイブリッド自動再送要求確認（ＨＡＲＱ−ＡＣＫ）応答情報の送信方式およびＨＡＲＱ−ＡＣＫ応答情報を送信する時使用する物理上りコントロールチャネル（ＰＵＣＣＨ）リソースを確定するように設置される送信方式およびリソース確定モジュール、  確定された前記ＰＵＣＣＨリソース上に、確定された前記ＨＡＲＱ−ＡＣＫ応答情報送信方式を用いて、物理下り共有チャネル（ＰＤＳＣＨ）またはＳＰＳ  ｒｅｌｅａｓｅ  ＰＤＣＣＨが対応したＨＡＲＱ−ＡＣＫ応答情報を送信するように設置される応答情報送信モジュールを含み、 前記上りサブフレームが対応した第２サービスセルの下りサブフレームセットが空集合ではなく、前記上りサブフレームが対応したプライマリーサービスセルの下りサブフレームセットが空集合である時、前記送信方式およびリソース確定モジュールは、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨに対応するＨＡＲＱ−ＡＣＫ応答情報を送信し、そのうち、ＰＵＣＣＨ  ｆｏｒｍａｔ  １ｂとチャネルセレクションを組み合わせる時使用するマッピングテーブルは、前記上りサブフレームが対応した第２サービスセルの下りサブフレームセット（Ｋｓ）の大きさに基づいて確定され、前記マッピングテーブルにおけるプライマリーサービスセルのＨＡＲＱ−ＡＣＫ応答情報は、不連続送信（ＤＴＸ）状態に設定され、前記第２サービスセルが対応したＰＵＣＣＨリソースは高層設定と動的指示シグナリングとを組み合わせる方式により確定されるように設置されるハイブリッド自動再送要求確認応答情報送信装置。
【請求項８】
前記装置はタイミング関係確定モジュールをさらに含み、前記アグリゲーションされたサービスセルはプライマリーサービスセルおよび第２サービスセルを含み、  前記タイミング関係確定モジュールは、  前記第２サービスセルの上り下り設定での下りサブフレーム集合がプライマリーサービスセルの上り下り設定下での下りサブフレーム集合のサブセットである時、前記第２サービスセルのＰＤＳＣＨとＨＡＲＱ−ＡＣＫ応答情報のタイミング関係は前記プライマリーサービスセルが対応したＰＤＳＣＨとＨＡＲＱ−ＡＣＫ応答情報のタイミング関係に従い、  前記第２サービスセルの上り下り設定での下りサブフレーム集合がプライマリーサービスセルの上り下り設定での下りサブフレーム集合のサブセットではない時、前記第２サービスセルのＰＤＳＣＨとＨＡＲＱ−ＡＣＫ応答情報のタイミング関係は前記プライマリーサービスセルが対応したＰＤＳＣＨとＨＡＲＱ−ＡＣＫ応答情報のタイミング関係に従い、または前記第２サービスセルが対応したＰＤＳＣＨとＨＡＲＱ−ＡＣＫ応答情報のタイミング関係に従い、または参照上り下り設定Ｘが対応したＰＤＳＣＨとＨＡＲＱタイミング関係に従い、そのうち、前記参照上り下り設定Ｘは、該上り下り設定での上りサブフレーム集合がプライマリーサービスセルの上り下り設定での上りサブフレーム集合のサブセットでもあり、第２サービスセルの上り下り設定での上りサブフレーム集合のサブセットでもあるという条件を満たす上り下り設定のうち、下りサブフレーム集合が最小である上り下り設定であるという方式で、前記第２サービスセルのＰＤＳＣＨとＨＡＲＱ−ＡＣＫ応答情報のタイミング関係を確定するように設置される請求項７に記載の装置。
【請求項９】
前記送信方式およびリソース確定モジュールは、前記タイミング関係確定モジュールが確定した前記第２サービスセルのＰＤＳＣＨとＨＡＲＱ−ＡＣＫ応答情報のタイミング関係に基づいて、上りサブフレームが対応したフィードバックウィンドウ内のアグリゲーションされたサービスセルの下りサブフレームセットを確定するように設置される請求項８に記載の装置。
【請求項１０】
前記送信方式およびリソース確定モジュールは、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨに対応するＨＡＲＱ−ＡＣＫ応答情報を送信することを確定すると、  （Ｋｓ）が１つのみの要素を含む時、すなわち前記上りサブフレームが第２サービスセルの１つの下りサブフレームのＨＡＲＱ−ＡＣＫ応答情報をフィードバックする必要がある時、第２サービスセルが１つの伝送ブロックのみを含む伝送モードに設定されると、ＴＤＤシステムキャリアがアグリゲーションする時Ａ＝２のチャネルを用いてマッピングテーブルを選択し、プライマリーサービスセルが対応したＨＡＲＱ−ＡＣＫ応答情報はＤＴＸに設定され、第２サービスセルに対応する１つのＰＵＣＣＨリソースは高層設定と動的指示シグナリングを組み合わせる方式により取得され、第２サービスセルが２つの伝送ブロックをバックアップする伝送モードに設定されると、ＴＤＤシステムキャリアがアグリゲーションする時Ａ＝３のチャネルを用いてマッピングテーブルを選択し、プライマリーサービスセルが対応したＨＡＲＱ−ＡＣＫ応答情報はＤＴＸに設定され、第２サービスセルが対応した２つのＰＵＣＣＨリソースは高層設定と動的指示シグナリングを組み合わせる方式により確定され、  （Ｋｓ）に含まれる要素が２つである時、すなわち前記上りサブフレームが第２サービスセルの２つの下りサブフレームのＨＡＲＱ−ＡＣＫ応答情報をフィードバックする必要がある時、前記２つの下りサブフレームのＨＡＲＱ−ＡＣＫ応答情報を空間バインディングした後、前記２つの下りサブフレームに対応する２ビットＨＡＲＱ−ＡＣＫ応答情報を取得し、ＴＤＤシステムキャリアがアグリゲーションする時Ａ＝４のチャネルを用いてマッピングテーブルを選択し、プライマリーサービスセルが対応したＨＡＲＱ−ＡＣＫ応答情報はＤＴＸに設定され、第２サービスセルに対応する２つのＰＵＣＣＨリソースは高層設定と動的指示シグナリングを組み合わせる方式により確定され、  （Ｋｓ）に含まれる要素が２つを超える時、すなわち前記上りサブフレームがフィードバックする必要がある第２サービスセル下りサブフレームのＨＡＲＱ−ＡＣＫ応答情報は２つを超える時、前記複数の下りサブフレームのＨＡＲＱ−ＡＣＫ応答情報を空間バインディングした後、さらに時間領域バインディング操作を行い、２ビットＨＡＲＱ−ＡＣＫ応答情報を取得した後、ＰＵＣＣＨ  ｆｏｒｍａｔ  １ｂを用いて前記２ビットＨＡＲＱ−ＡＣＫ応答情報を送信し、ＴＤＤシステムキャリアがアグリゲーションする時Ｍ＝３またはＭ＝４（Ｍは（Ｋｓ）の大きさである）のチャネルを用いてマッピングテーブルを選択し、プライマリーサービスセルが対応したＨＡＲＱ−ＡＣＫ応答情報はＤＴＸに設定され、第２サービスセルに対応する２つのＰＵＣＣＨリソースは高層設定と動的指示シグナリングを組み合わせる方式により確定されるように設置される請求項７、８または９に記載の装置。
【請求項１１】
前記上りサブフレームが対応した第２サービスセルの下りサブフレームセット（Ｋｓ）が空集合ではなく、前記上りサブフレームが対応したプライマリーサービスセルの下りサブフレームセット（Ｋｐ）も空集合ではなく、かつ（Ｋｓ）と（Ｋｐ）の共通集合が空集合である時、前記送信方式およびリソース確定モジュールは、  ＴＤＤシステムが複数のサービスセルを設定する時のＰＵＣＣＨ  ｆｏｒｍａｔ  １ｂとチャネルセレクションを組み合わせる方式を用いてＨＡＲＱ−ＡＣＫ応答情報を送信し、そのうち、ＰＵＣＣＨ  ｆｏｒｍａｔ  １ｂとチャネルセレクションを組み合わせる時使用するマッピングテーブルは（Ｋｓ）および（Ｋｐ）の集合大きさのうちの大きい方に基づいて確定され、マッピングテーブルにおいて対応する下りサブフレームがないＨＡＲＱ−ＡＣＫ応答情報はＤＴＸ状態に設定され、第２サービスセルが対応したＰＵＣＣＨリソースは高層設定と動的指示シグナリングを組み合わせる方式により確定されるように設置される請求項７、８または９に記載の装置。
【請求項１２】
前記上りサブフレームが対応した第２サービスセルの下りサブフレームセット（Ｋｓ）が空集合ではなく、前記上りサブフレームが対応したプライマリーサービスセルの下りサブフレームセット（Ｋｐ）も空集合ではなく、かつ（Ｋｓ）と（Ｋｐ）の共通集合が空集合ではない時、前記送信方式およびリソース確定モジュールは、  （Ｋｓ）と（Ｋｐ）の共通集合が対応した下りサブフレームに、第２サービスセルのフィードバックウィンドウ内の下りＤＡＩ＝１およびＤＡＩ＝２の下りサブフレームを含まないと、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨに対応するＨＡＲＱ−ＡＣＫ応答情報を送信し、そのうち、ＰＵＣＣＨ  ｆｏｒｍａｔ  １ｂとチャネルセレクションを組み合わせる時使用するマッピングテーブルは（Ｋｓ）と（Ｋｐ）の集合大きさのうちの大きい方に基づいて確定され、前記マッピングテーブルにおいて対応する下りサブフレームがないＨＡＲＱ−ＡＣＫ応答情報はＤＴＸ状態に設定され、第２サービスセルに対応する２つのＰＵＣＣＨリソース【数４】
0005891336.tif 000039
は高層設定と動的指示シグナリングを組み合わせる方式により確定され、  （Ｋｓ）と（Ｋｐ）の共通集合が対応した下りサブフレームに、第２サービスセルのフィードバックウィンドウ内の下りＤＡＩ＝１またはＤＡＩ＝２の１つの下りサブフレームを含むと、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨに対応するＨＡＲＱ−ＡＣＫ応答情報を送信し、そのうち、ＰＵＣＣＨ  ｆｏｒｍａｔ  １ｂとチャネルセレクションを組み合わせる時使用するマッピングテーブルは（Ｋｓ）と（Ｋｐ）の集合大きさのうちの大きい方に基づいて確定され、前記マッピングテーブルにおいて対応する下りサブフレームがないＨＡＲＱ−ＡＣＫ応答情報はＤＴＸ状態に設定され、かつ、前記第２サービスセルがクロスキャリアススケジューリングを用いる時、前記第２サービスセルに対応するそのうちの一方のＰＵＣＣＨリソース
【数５】
0005891336.tif 000040
はいずれも高層設定と動的指示シグナリングを組み合わせる方式により確定され、  （Ｋｓ）と（Ｋｐ）の共通集合が対応した下りサブフレームに、第２サービスセルのフィードバックウィンドウ内の下りＤＡＩ＝１およびＤＡＩ＝２の下りサブフレームを含むと、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨに対応するＨＡＲＱ−ＡＣＫ応答情報を送信し、そのうち、ＰＵＣＣＨ  ｆｏｒｍａｔ  １ｂとチャネルセレクションを組み合わせる時使用するマッピングテーブルは（Ｋｓ）と（Ｋｐ）の集合大きさのうちの大きい方に基づいて確定され、前記マッピングテーブルにおいて対応する下りサブフレームがないＨＡＲＱ−ＡＣＫ応答情報はＤＴＸ状態に設定され、かつ、前記第２サービスセルがクロスキャリアススケジューリングを用いる時、前記第２サービスセルに対応する２つのＰＵＣＣＨリソース
【数６】
0005891336.tif 000041
はいずれも高層設定と動的指示シグナリングを組み合わせる方式により確定されるように設置される請求項７、８または９に記載の装置。
【請求項１３】
前記送信方式およびリソース確定モジュールは、前記上りサブフレームが対応した第２サービスセルの下りサブフレームセット（Ｋｓ）が前記上りサブフレームが対応したプライマリーサービスセルの下りサブフレームセット（Ｋｐ）の１つのサブセットである、または（Ｋｓ）が（Ｋｐ）に等しい時、  前記第２サービスセルがクロスキャリアススケジューリングを用いる時、ＰＵＣＣＨリソースとＰＤＣＣＨのＣＣＥインデックスの暗黙的マッピング関係に基づいて前記第２サービスセルが対応したＰＵＣＣＨリソースを確定し、前記第２サービスセルがクロスキャリアススケジューリングを用いていない時、前記第２サービスセルに対応するＰＵＣＣＨリソースは高層設定と動的指示シグナリングを組み合わせる方式により確定され、  または、前記第２サービスセルがクロスキャリアススケジューリングを用いるかどうかにもかかわらず、前記第２サービスセルに対応するものはいずれも高層設定と動的指示シグナリングを組み合わせる方式により確定されるように設置される請求項７、８または９に記載の装置。
【発明の詳細な説明】
【技術分野】
【０００１】
本発明は通信分野に関し、具体的には、ハイブリッド自動再送要求確認応答情報送信方法および装置に関する。
【背景技術】
【０００２】
ロングタームエボリューション（Ｌｏｎｇ  Ｔｅｒｍ  Ｅｖｏｌｕｔｉｏｎ、ＬＴＥと略称する）システムは高級ロングタームエボリューション（ＬＴＥ−Ａｄｖａｎｃｅｄ、ＬＴＥ−Ａと略称する）システムにおける無線フレーム（ｒａｄｉｏ  ｆｒａｍｅ）は周波数分割複信（Ｆｒｅｑｕｅｎｃｙ  Ｄｉｖｉｓｉｏｎ  Ｄｕｐｌｅｘ、ＦＤＤと略称する）モードおよび時分割複信（Ｔｉｍｅ  Ｄｉｖｉｓｉｏｎ  Ｄｕｐｌｅｘ、ＴＤＤと略称する）モードのフレーム構造を含む。
【０００３】
図１は関連技術によるＬＴＥ／ＬＴＥ−Ａ  ＦＤＤシステムにおけるフレーム構造の模式図であり、図１に示すように、１つの１０ミリ秒（ｍｓ）の無線フレームは二十個の長さが０．５ｍｓ、番号が０〜１９のスロット（ｓｌｏｔ）からなり、スロット２ｉおよび２ｉ＋１は長さが１ｍｓのサブフレーム（ｓｕｂｆｒａｍｅ）を構成する。
【０００４】
図２は関連技術によるＬＴＥ／ＬＴＥ−Ａ  ＴＤＤシステムにおけるフレーム構造の模式図であり、図２に示すように、１つの１０ｍｓの無線フレームは２つの長さが５ｍｓのハーフフレーム（ｈａｌｆ  ｆｒａｍｅ）からなり、１つのハーフフレームは５個の長さが１ｍｓのサブフレームを含み、サブフレームｉは２つの長さが０．５ｍｓのスロット２ｉおよび２ｉ＋１に定義される。ＴＤＤシステムにおいてバックアップする上り下り設定は表１に示される。
【０００５】
【表１】
0005891336.tif 000002
【０００６】
そのうち、１つの無線フレームにおける各サブフレームに対して、「Ｄ」は下り伝送に専用されるサブフレームを表し、「Ｕ」は上り伝送に専用されるサブフレームを表し、「Ｓ」は特殊サブフレームを表し、下りパイロットタイムスロット（Ｄｏｗｎｌｉｎｋ  Ｐｉｌｏｔ  Ｔｉｍｅ  Ｓｌｏｔ、ＤｗＰＴＳと略称する）、保護間隔（Ｇｕａｒｄ  Ｐｅｒｉｏｄ、ＧＰと略称する）および上りパイロットタイムスロット（Ｕｐｌｉｎｋ  Ｐｉｌｏｔ  Ｔｉｍｅ  Ｓｌｏｔ、ＵｐＰＴＳと略称する）の三部分を含む。
【０００７】
ＴＤＤは５ｍｓおよび１０ｍｓの上り下り切り替えサイクルをバックアップする。下りから上りへの切り替え点サイクルが５ｍｓであると、特殊サブフレームは２つのハーフフレーム中に存在し、下りから上りへの切り替え点サイクルが１０ｍｓであると、特殊サブフレームは第１のハーフフレーム中のみに存在する。サブフレーム０、サブフレーム５およびＤｗＰＴＳは常時に下り伝送に用いられる。ＵｐＰＴＳおよび特殊サブフレームの後に追いかけるサブフレームは上り伝送に専用される。
【０００８】
ＬＴＥシステムの下りハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱと略称する）中において、末端は（Ｕｓｅｒ  Ｅｑｕｉｐｍｅｎｔ、ＵＥと略称する）物理上り共有チャネル（Ｐｈｙｓｉｃａｌ  Ｕｐｌｉｎｋ  Ｓｈａｒｅｄ  Ｃｈａｎｎｅｌ、ＰＵＳＣＨと略称する）の伝送がない時、物理下り共有チャネル（Ｐｈｙｓｉｃａｌ  Ｄｏｗｎｌｉｎｋ  Ｓｈａｒｅｄ  Ｃｈａｎｎｅｌ、ＰＤＳＣＨと略称する）のハイブリッド自動再送要求確認（Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅ、ＨＡＲＱ−ＡＣＫと略称する）応答情報は物理上りコントロールチャネル（Ｐｈｙｓｉｃａｌ  Ｕｐｌｉｎｋ  Ｃｏｎｔｒｏｌ  Ｃｈａｎｎｅｌ、ＰＵＣＣＨと略称する）に伝送され、さもないとＰＵＳＣＨに伝送される。
【０００９】
ＬＴＥ  ＴＤＤシステム中において、上り下りサブフレームは一対一ではないため、つまり複数の下りサブフレームのＨＡＲＱ−ＡＣＫ応答メッセージは１つの上りサブフレームのＰＵＣＣＨチャネル上に送信する必要があり、そのうち上りサブフレームが対応した下りサブフレーム集合はフィードバックウィンドウを構成する。
【００１０】
ＨＡＲＱ−ＡＣＫ応答情報の送信方法は、以下２種を有し、
一種はバインディング（ｂｕｎｄｌｉｎｇ）であり、該方法の趣旨は、該上りサブフレームにフィードバックする必要がある各下りサブフレームが対応した伝送ブロックのＨＡＲＱ−ＡＣＫ応答メッセージに対してロジックおよび計算を行い、１つの下りサブフレームが２つの伝送ブロックを有すると、ＵＥは２ビットのＨＡＲＱ−ＡＣＫ応答情報をフィードバックし、各サブフレームが１つのみの伝送ブロックを有すると、ＵＥ１ビットのＨＡＲＱ−ＡＣＫ応答メッセージをフィードバックし、
他種は多重化（ｍｕｌｔｉｐｌｅｘｉｎｇ）であり、該方法はＬＴＥ中において主にＰＵＣＣＨ  ｆｏｒｍａｔ  １ｂとチャネルセレクション（ＰＵＣＣＨ  ｆｏｒｍａｔ  １ｂ  ｗｉｔｈ  ｃｈａｎｎｅｌ  ｓｅｌｅｃｔｉｏｎ）を組み合わせる方法を指し、該方法の趣旨は異なるＰＵＣＣＨチャネルおよび該チャネル上において異なる変調符号を利用して、該上りサブフレームにフィードバックする必要がある下りサブフレームの異なるフィードバック状態を表し、下りサブフレーム上に複数の伝送ブロックを有すると、まず下りサブフレームの複数の符号語ストリームがフィードバックしたＨＡＲＱ−ＡＣＫに対して空間ロジック（空間領域バインディングとも称する）を行った後、さらにチャネルセレクションを行い、次き、ＰＵＣＣＨ  ｆｏｒｍａｔ  １ｂを使用して送信する。そのうち、バインディングウィンドウ内（つまり上りサブフレームがフィードバックする必要がある下りサブフレーム集合）において各下りサブフレームのＨＡＲＱ−ＡＣＫ（ｉ）応答情報、選択されたＰＵＣＣＨチャネルおよび送信された両ビット情報の間の関係はチャネルセレクションのマッピングテーブルと称され、従来のプロトコルに定義されたバインディングウィンドウの大きさが２、３、４である時のマッピングテーブルはそれぞれ下記の表２〜表４に示され、そのうちＭはバインディングウィンドウの大きさを表す。
【００１１】
【表２】
0005891336.tif 000003
【００１２】
【表３】
0005891336.tif 000004
【００１３】
【表４】
0005891336.tif 000005
【００１４】
各下りサブフレームが対応したＰＵＣＣＨリソースに対して、ＰＤＳＣＨは対応する物理下りコントロールチャネル（Ｐｈｙｓｉｃａｌ  Ｄｏｗｎｌｉｎｋ  Ｃｏｎｔｒｏｌ  Ｃｈａｎｎｅｌ、ＰＤＣＣＨと略称する）またはＳＰＳ  ｒｅｌｅａｓｅ  ＰＤＣＣＨを有す時、相応なＰＵＣＣＨソースは前記ＰＤＣＣＨを携帯しているコントロールチャネルユニット（Ｃｏｎｔｒｏｌ  Ｃｈａｎｎｅｌ  Ｅｌｅｍｅｎｔ、ＣＣＥと略称する）インデックスとの暗黙的マッピング関係に基づいて確定され、ＰＤＳＣＨは相応なＰＤＣＣＨを有しない時、その相応なＰＵＣＣＨリソースはその相応なＰＵＣＣＨリソースに基づいて高層設定の方式に基づいて確定される。
【００１５】
ＬＴＥシステムに対して、ＬＴＥ−Ａシステムの最も重要な特徴は、ＬＴＥ−Ａシステムにはキャリアアグリゲーション技術を導入し、つまりＬＴＥシステムの帯域幅をアグリゲーションしてより大きな帯域幅を取得することである。キャリアアグリゲーションを導入したシステム中において、アグリゲーションを行う搬送波はコンポーネントキャリア（Ｃｏｍｐｏｎｅｎｔ  Ｃａｒｒｉｅｒ、ＣＣと略称する）と称され、１つのサービスセル（Ｓｅｒｖｉｎｇ  Ｃｅｌｌ）とも称される。同時に、プライマリーコンポーネントキャリア／サービスセル（Ｐｒｉｍａｒｙ  Ｃｏｍｐｏｎｅｎｔ  Ｃａｒｒｉｅｒ／Ｓｅｒｖｉｎｇ  Ｃｅｌｌ、ＰＣＣ／ＰＣｅｌｌと略称する）および第２コンポーネントキャリア／サービスセル（Ｓｅｃｏｎｄａｒｙ  Ｃｏｍｐｏｎｅｎｔ  Ｃａｒｒｉｅｒ／Ｓｅｒｖｉｎｇ  Ｃｅｌｌ、ＳＣＣ／ＳＣｅｌｌと略称する）の概念をさらに提案した。キャリアアグリゲーションを行ったシステム中において、少なくとも１つのプライマリーサービスセルおよび第２サービスセルを含み、そのうちプライマリーサービスセルは常にアクティベーション状態にある。ＴＤＤシステムに対して、Ｒｅｌ−１０バージョン中において同一上り下り設定のサービスセルのアグリゲーションのみをバックアップする。
【００１６】
ＬＴＥ−Ａキャリアアグリゲーションシステム下で、基地局はＵＥに複数の下りサービスセルを設定した時、ＵＥはこれらの複数の下りサービスセルの対応する伝送ブロックのＨＡＲＱ−ＡＣＫ応答情報をフィードバックする必要がある。ＬＴＥ−Ａにおいて、ＨＡＲＱ−ＡＣＫ応答情報が物理上りコントロールチャネルで送信される時、２種の送信方式を定義され、つまり、ＰＵＣＣＨ  ｆｏｒｍａｔ  １ｂに基づくチャネルセレクション（ＰＵＣＣＨ  Ｆｏｒｍａｔ  １ｂ  ｗｉｔｈ  ｃｈａｎｎｅｌ  ｓｅｌｅｃｔｉｏｎ）およびＤＦＴ−ｓ−ＯＦＤＭに基づく送信方式を用いる。ＤＦＴ−ｓ−ＯＦＤＭに基づく送信方式およびそのチャネル構造はＰＵＣＣＨ  ｆｏｒｍａｔ  １／１ａ／１ｂ／２／２ａ／２ｂといずれも異なるため、したがって、従来のＬＴＥ−Ａプロトコル中において、この構造はＰＵＣＣＨフォーマット３（ＰＵＣＣＨ  ｆｏｒｍａｔ  ３）と称される。複数のサービスセルを設定したＵＥに対して、ＵＥは最大限に２つのサービスセルのみのグリゲーションをバックアップアすることができると、ＵＥは複数のサービスセルを設定する時、ＵＥはＰＵＣＣＨ  ｆｏｒｍａｔ  １ｂとチャネルセレクションを組み合わせる方式を用いてＨＡＲＱ−ＡＣＫを送信し、ＵＥは２つを超えるサービスセルのアグリゲーションをバックアップすることができると、ＵＥは複数のサービスセルを設定する時、基地局は更に高層シグナリングにより、前記ＵＥがＰＵＣＣＨ  ｆｏｒｍａｔ  １ｂとチャネルセレクションを組み合わせる方式かまたはＰＵＣＣＨ  ｆｏｒｍａｔ  ３かを用いてＨＡＲＱ−ＡＣＫ応答情報を送信するように設定する。
【００１７】
ＬＴＥ−Ａシステムと区別するために、上記ＬＴＥシステム中において定義されたＰＵＣＣＨ  ｆｏｒｍａｔ  １ｂに基づくチャネルセレクションはシングルサービスセル下でのＰＵＣＣＨ  ｆｏｒｍａｔ  １ｂに基づくチャネルセレクションと称され、ＬＴＥ−Ａシステムのものはキャリアアグリゲーション時のＰＵＣＣＨ  ｆｏｒｍａｔ  １ｂに基づくチャネルセレクション（複数のサービスセルを設定する時のＰＵＣＣＨ  ｆｏｒｍａｔ  １ｂに基づくチャネルセレクションとも称される）と称される。
【００１８】
ＬＴＥ−Ａ  ＴＤＤシステム中において、２つのサービスセルを設定しかつＰＵＣＣＨ  ｆｏｒｍａｔ  １ｂとチャネルセレクションを組み合わせる方式を用いてＨＡＲＱ−ＡＣＫ応答情報を送信しかつ対応する下りサブフレーム個数Ｍ＝１の時、送信されたＨＡＲＱ−ＡＣＫ応答情報は各サービスセルの伝送ブロックまたはＳＰＳ  ｒｅｌｅａｓｅを指示するＰＤＣＣＨに対するＡＣＫ（確認）／ＮＡＣＫ（否定確認）／ＤＴＸ（不連続的送信）フィードバックであり、その相応なチャネルセレクションマッピングテーブルは表５〜表７に示され、そのうちＡの大きさとサービスセルを設定するＨＡＲＱ−ＡＣＫ応答情報の対応関係は表８に示され、２つのサービスセルを設定しかつＰＵＣＣＨ  ｆｏｒｍａｔ  １ｂとチャネルセレクションを組み合わせる方式を用いてＨＡＲＱ−ＡＣＫ応答情報を送信しかつ対応する下りサブフレーム個数Ｍ＝２の時、ＨＡＲＱ−ＡＣＫ応答情報は各サービスセルのＰＤＳＣＨまたはＳＰＳ  ｒｅｌｅａｓｅを指示するＰＤＣＣＨのＡＣＫ／ＮＡＣＫ／ＤＴＸフィードバックであり、つまりＰＤＳＣＨは２つの伝送ブロックに対応すると、該ＰＤＳＣＨのＨＡＲＱ−ＡＣＫ応答情報は２つの伝送ブロックのＨＡＲＱ−ＡＣＫ応答情報空間領域をバインディングして得られ、その相応なチャネルセレクションマッピングテーブルは表７に示され、そのうちＡの大きさとサービスセルを設定するＨＡＲＱ−ＡＣＫ応答情報の対応関係は表９に示され、２つのサービスセルを設定しかつＰＵＣＣＨ  ｆｏｒｍａｔ  １ｂとチャネルセレクションを組み合わせる方式を用いてＨＡＲＱ−ＡＣＫ応答情報を送信しかつ対応な下りサブフレーム個数Ｍ＞２の時、各サービスセルがフィードバックしたＨＡＲＱ−ＡＣＫ応答情報は多くても２ビットであり、各サービスセルのすべての伝送ブロックのＡＣＫ／ＮＡＣＫ／ＤＴＸレスポンスをまず空間領域バインディングしてさらに時間領域バインディングしてから得られ、その相応なチャネルセレクションマッピングテーブルは表１０および表１１に示される。
【００１９】
【表５】
0005891336.tif 000006
【００２０】
【表６】
0005891336.tif 000007
【００２１】
【表７】
0005891336.tif 000008
【００２２】
【表８】
0005891336.tif 000009
【００２３】
【表９】
0005891336.tif 000010
【００２４】
【表１０−１】
0005891336.tif 000011
【００２５】
【表１０−２】
0005891336.tif 000012
【００２６】
【表１１−１】
0005891336.tif 000013
【００２７】
【表１１−２】
0005891336.tif 000014
【００２８】
【表１１−３】
0005891336.tif 000015
【００２９】
【表１１−４】
0005891336.tif 000016
【００３０】
【表１１−５】
0005891336.tif 000017
【００３１】
ＨＡＲＱ−ＡＣＫ応答情報はＰＵＣＣＨ  ｆｏｒｍａｔ  １ｂとチャネルセレクションを組み合わせる方式を用いて送信する時、その相応なＰＵＣＣＨリソース（つまりＰＵＣＣＨリソースのインデックスの確定）は下記の下方で確定され、
Ｍ＝１の時、
ＰＤＳＣＨが対応したＰＤＣＣＨがプライマリーサービスセルに送信される時、第１の伝送ブロックが対応したＰＵＣＣＨリソースはＰＤＣＣＨのＣＣＥインデックスとの暗黙的マッピング関係に基づいて確定され、そのうち、ここでのＰＤＣＣＨはＰＤＳＣＨが対応したＰＤＣＣＨを指し、具体的には、ＰＵＣＣＨが対応したチャネルインデックスは、前記ＰＤＣＣＨが所在するＣＣＥ（コントロール情報ユニット）を携帯しているインデックスに基づいて確定され（プロトコルは１つの公式を用いて表す）、前記ＰＤＣＣＨが対応したサービスセルの伝送モードが２つの伝送ブロックをバックアップする伝送モードに設定されると、第二個の伝送ブロックが対応したＰＵＣＣＨリソースは第１の伝送ブロックが対応したＰＵＣＣＨリソースのインデックス値プラス１であり、
ＰＤＳＣＨが対応したＰＤＣＣＨが第２サービスセルに送信される時、第２サービスセルが対応したＰＵＣＣＨリソースは高層設定に基づくＰＤＣＣＨにおけるリソース指示値（前記ＰＤＣＣＨ上に携帯している下りコントロール情報（ＤＣＩ）中における伝送電力コントロール（ＴＰＣ）領域を再利用）指示の方式により取得され、第２サービスセルの伝送モードは２つの伝送ブロックをバックアップする伝送モードに設定されると、ＰＤＣＣＨにおけるリソース指示値は高層設定の２つＰＵＣＣＨリソースに対応し、さもないと、ＰＤＣＣＨ中におけるリソース指示値は高層設定の１つのＰＵＣＣＨリソースに対応し、
プライマリーサービスセルのＰＤＳＣＨは対応するＰＤＣＣＨがない時、その相応なＰＵＣＣＨリソースは高層設定の方式に基づいて確定され、
Ｍ＝２の時、
ＰＤＳＣＨが対応したＰＤＣＣＨがプライマリーサービスセルに送信される時、該ＰＤＳＣＨが対応したＰＵＣＣＨリソースは前記ＰＤＣＣＨのＣＣＥインデックスとの暗黙的マッピング関係に基づいて確定され、
ＰＤＳＣＨが対応したＰＤＣＣＨが第２サービスセルに送信される時、第２サービスセルが対応した２つのＰＵＣＣＨリソースは高層設定に基づくＰＤＣＣＨにおけるリソース指示値（前記ＰＤＣＣＨ上に携帯している下りコントロール情報（ＤＣＩ）中における伝送電力コントロール（ＴＰＣ）域を再利用）指示の方式により取得され、ＰＤＣＣＨ中におけるリソース指示値は高層設定の２つのＰＵＣＣＨリソースに対応し、
プライマリーサービスセルのＰＤＳＣＨは対応するＰＤＣＣＨがない時、その相応なＰＵＣＣＨリソースは高層設定の方式に基づいて確定され、
Ｍ＝３および４の時、
プライマリーサービスセルに対して、
相応なＰＤＣＣＨがないＰＤＳＣＨ伝送がある時、プライマリーサービスセルが対応した２つ
【００３２】
0005891336.tif 000018
【００３３】
ソース指示値（前記ＰＤＣＣＨ上に携帯している下りコントロール情報（ＤＣＩ）中における伝送電力コントロール（ＴＰＣ）域を再利用）指示の方式により取得され、ＰＤＣＣＨ中におけるリソース指示値は高層設定の２つのＰＵＣＣＨリソースに対応する。
【００３４】
後続バージョンの検討中において、異なる上り下り設定のサービスセルのアグリゲーションをバックアップする必要がある。異なる上り下り設定のサービスセルがアグリゲーションを行う時、各アグリゲーションされたサービスセルのＰＤＳＣＨと相応なＨＡＲＱ−ＡＣＫ応答情報の間のタイミング関係は、現在、下記の結論を有する。
【００３５】
１．アグリゲーションに参与するサービスセルのＰＤＳＣＨのＨＡＲＱ−ＡＣＫ応答情報はプライマリー上りサービスセルのみに送信されることができる。
【００３６】
２．プライマリーサービスセルのＰＤＳＣＨと相応なＨＡＲＱ−ＡＣＫ応答情報のタイミング関係は変わらない。
【００３７】
３．第２サービスセルの下りサブフレームがプライマリーサービスセルの下りサブフレームの１つのサブセットである時、第２サービスセルの各下りサブフレームのＰＤＳＣＨと相応なＨＡＲＱ−ＡＣＫ応答情報のタイミング関係は、プライマリーサービスセルとの一致を保持される。その他の状況は更に配慮する必要がある。
【００３８】
図３は上記結論３の１つの模式図を提供する。図３において、上り下り設定＃１を用いるサービスセルと上り下り設定＃０を用いるサービスセルはアグリゲーションを行い、かつ上り下り設定＃１を用いるサービスセルはプライマリーサービスセルとして設定され、上り下り設定＃０を用いるサービスセルは第２サービスセルである。プライマリーサービスセルの下りサブフレームセットは｛０、１、４、５、６、９｝であるが、第２サービスセルの下りサブフレームセットは｛０、１、５、６｝であり、つまり第２サービスセルの下りサブフレームセットはプライマリーサービスセルの下りサブフレームセットの１つのサブセットであり、従って、この時、第２サービスセルの各下りサブフレーム上におけるＰＤＳＣＨと相応なＨＡＲＱ−ＡＣＫのタイミング関係に対して、第２サービスセル自体が定義されたタイミング関係に従わなくなり、プライマリーサービスセル（つまり設定＃１）のＰＤＳＣＨとＨＡＲＱ−ＡＣＫのタイミング関係を用いる。例を挙げて説明すると、第２サービスセルの下りサブフレーム＃０上におけるＰＤＳＣＨに対して、その相応なＨＡＲＱ−ＡＣＫ応答情報は上りサブフレーム＃４に送信されなくなり、上りサブフレーム＃７に送信される。
【００３９】
前記のように、キャリアアグリゲーションの時、ＨＡＲＱ−ＡＣＫ応答情報はＰＵＣＣＨ  ｆｏｒｍａｔ  １ｂとチャネルセレクションを組み合わせる方式を用いて送信されてもよい。従来の標準中において、同一上り下り設定のサービスセルをアグリゲーションする時、どのようにＰＵＣＣＨ  ｆｏｒｍａｔ  １ｂに基づくチャネルセレクションを用いてＨＡＲＱ−ＡＣＫを送信するかのみに対して、規定され、上り下り設定が異なるサービスセルをアグリゲーションする時、従来技術はまだ相応な規定を行わっていない。
【００４０】
従来、異なる上り下り設定のサービスセルをアグリゲーションする時、ＰＵＣＣＨ  ｆｏｒｍａｔ  １ｂとチャネルセレクションを組み合わせる方式を用いてＨＡＲＱ−ＡＣＫを送信する時、依然として下記の問題を解決していない。
【００４１】
−    マッピングフォームの選択および確定、
−    マッピングフォームにおけるサービスセルのＨＡＲＱ−ＡＣＫ応答状態の確定、
−    ＰＵＣＣＨリソースの確定。
【発明の概要】
【発明が解決しようとする課題】
【００４２】
本発明の実施例はハイブリッド自動再送要求確認応答情報送信方法および装置を提供し、異なる上り下り設定のサービスセルをキャリアアグリゲーションしかつＰＵＣＣＨ  ｆｏｒｍａｔ  １ｂとチャネルセレクションを組み合わせる方式を設定してＨＡＲＱ−ＡＣＫをフィードバックする時、ＰＵＣＣＨリソースが確定できないという問題を解決する。
【課題を解決するための手段】
【００４３】
本発明の実施例はハイブリッド自動再送要求確認応答情報送信方法を提供しており、
キャリアアグリゲーション時分割複信（ＴＤＤ）システム中において、アグリゲーションされたサービスセはプライマリーサービスセルおよび第２サービスセルを含み、アグリゲーションのサービスセルの上り下り設定が異なるかつ物理上りコントロールチャネルフォーマット１ｂ（ＰＵＣＣＨ  ｆｏｒｍａｔ  １ｂ）とチャネルセレクションを組み合わせる方式を用いてハイブリッド自動再送要求確認（ＨＡＲＱ−ＡＣＫ）をフィードバックするように設定する時、第２サービスセルが従う物理下り共有チャネル（ＰＤＳＣＨ）とＨＡＲＱ−ＡＣＫ応答情報のタイミング関係に基づいて、上りサブフレームが対応したフィードバックウィンドウ内のアグリゲーションされたサービスセルの下りサブフレームセットを確定し、
前記上りサブフレームが対応したフィードバックウィンドウ内のアグリゲーションされたサービスセルの下りサブフレームセットの間の関係に基づいて、ＨＡＲＱ−ＡＣＫ応答情報の送信方式およびＨＡＲＱ−ＡＣＫ応答情報を送信する時使用する物理上りコントロールチャネル（ＰＵＣＣＨ）リソースを確定し、
確定された前記ＰＵＣＣＨリソース上に確定された前記ＨＡＲＱ−ＡＣＫ応答情報送信方式を用いて前記ＨＡＲＱ−ＡＣＫ応答情報を送信することを含む
好ましくは、
前記第２サービスセルの上り下り設定での下りサブフレーム集合がプライマリーサービスセルの上り下り設定下での下りサブフレーム集合のサブセットである時、前記第２サービスセルのＰＤＳＣＨとＨＡＲＱ−ＡＣＫ応答情報のタイミング関係はプライマリーサービスセルが対応したＰＤＳＣＨとＨＡＲＱ−ＡＣＫ応答情報のタイミング関係に従い、
さもないと、前記第２サービスセルの上り下り設定での下りサブフレーム集合がプライマリーサービスセルの上り下り設定での下りサブフレーム集合のサブセットではない時、前記第２サービスセルのＰＤＳＣＨとＨＡＲＱ−ＡＣＫ応答情報のタイミング関係は前記プライマリーサービスセルが対応したＰＤＳＣＨとＨＡＲＱ−ＡＣＫ応答情報のタイミング関係に従い、または前記第２サービスセルが対応したＰＤＳＣＨとＨＡＲＱ−ＡＣＫ応答情報のタイミング関係に従い、または参照上り下り設定Ｘが対応したＰＤＳＣＨとＨＡＲＱタイミング関係に従い、そのうち、前記参照上り下り設定Ｘは、該上り下り設定での上りサブフレーム集合がプライマリーサービスセルの上り下り設定での上りサブフレーム集合のサブセットでもあり、第２サービスセルの上り下り設定での上りサブフレーム集合のサブセットでもあるという条件を満たす上り下り設定のうち、下りサブフレーム集合が最小である上り下り設定であるという方式で、前記第２サービスセルのＰＤＳＣＨとＨＡＲＱ−ＡＣＫ応答情報のタイミング関係を確定する。
【００４４】
好ましくは、前記上りサブフレームが対応したフィードバックウィンドウ内のアグリゲーションされたサービスセルの下りサブフレームセットの間の関係に基づいて、アグリゲーションされたサービスセルのＨＡＲＱ−ＡＣＫ応答情報の送信方式およびＨＡＲＱ−ＡＣＫ応答  情報を送信する時使用するＰＵＣＣＨリソースを確定することは、
前記上りサブフレームが対応した第２サービスセルの下りサブフレームセットが空集合ではなく、前記上りサブフレームが対応したプライマリーサービスセルの下りサブフレームセットが空集合である時、
ＰＵＣＣＨ  ｆｏｒｍａｔ  １ａまたはＰＵＣＣＨ  ｆｏｒｍａｔ  １ｂの方式を用いて第２サービスセルＰＤＳＣＨが対応したＨＡＲＱ−ＡＣＫ応答情報を送信し、そのうちＨＡＲＱ−ＡＣＫ応答情報の送信に必要なＰＵＣＣＨリソースは高層設定と動的指示シグナリングを組み合わせる方式により確定され、またはＨＡＲＱ−ＡＣＫ応答情報の送信に必要なＰＵＣＣＨリソースは高層設定の方式のみにより確定されること、
または、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信し、そのうち、ＰＵＣＣＨ  ｆｏｒｍａｔ  １ｂに基づくチャネルセレクション時使用するマッピングテーブルは、前記上りサブフレームが対応した第２サービスセルの下りサブフレームセット（Ｋｓ）の大きさに基づいて確定され、前記マッピングテーブルにおけるプライマリーサービスセルのＨＡＲＱ−ＡＣＫ応答情報は、不連続送信（ＤＴＸ）状態に設定され、前記第２サービスセルが対応したＰＵＣＣＨリソースは高層設定と動的指示シグナリングを組み合わせる方式により確定されること、
または、ＴＤＤシステムが単一のサービスセルを設定する時のＰＵＣＣＨ  ｆｏｒｍａｔ  １ｂとチャネルセレクションを組み合わせる方式を用いて、第２サービスセルＰＤＳＣＨが対応したＨＡＲＱ−ＡＣＫ応答情報を送信し、そのうち、ＰＵＣＣＨ  ｆｏｒｍａｔ  １ｂに基づくチャネルセレクション時使用するマッピングテーブルは、前記上りサブフレームが対応した第２サービスセルの下りサブフレームセット（Ｋｓ）の大きさに基づいて確定され、前記第２サービスセル上りサブフレームが対応した下りサブフレームは対応したＰＵＣＣＨリソースは高層設定と動的指示シグナリングを組み合わせる方式により確定されること、
または、前記上りサブフレームが対応した第２サービスセルの下りサブフレームセット（Ｋｓ）の大きさに基づいてＨＡＲＱ−ＡＣＫ応答情報の送信方式を確定することは、ＰＵＣＣＨ  ｆｏｒｍａｔ  １ａの方式、またはＰＵＣＣＨ  ｆｏｒｍａｔ  １ｂの方式、またはＴＤＤシステムが複数のサービスセルを設定する時のＰＵＣＣＨ  ｆｏｒｍａｔ  １ｂとチャネルセレクションを組み合わせる方式、またはＴＤＤシステムが単一のサービスセルを設定する時のＰＵＣＣＨ  ｆｏｒｍａｔ  １ｂとチャネルセレクションを組み合わせる方式のうちの１つを用いることを含む。
【００４５】
好ましくは、前記Ｋｓの大きさに基づいてＨＡＲＱ−ＡＣＫ応答情報の送信方式を確定することは、具体的には、
Ｋｓに含まれる要素が１つまたは２つである時、ＰＵＣＣＨ  ｆｏｒｍａｔ  １ａまたはＰＵＣＣＨ  ｆｏｒｍａｔ  １ｂの方式を用いて前記第２サービスセルＰＤＳＣＨが対応したＨＡＲＱ−ＡＣＫ応答情報を送信し、Ｋｓに含まれる要素が２つを超える時、ＴＤＤシステムが複数のサービスセルまたは単一のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信し、
または、Ｋｓに含まれる要素が１つである時、ＰＵＣＣＨ  ｆｏｒｍａｔ  １ａまたはＰＵＣＣＨ  ｆｏｒｍａｔ  １ｂの方式を用いて前記第２サービスセルＰＤＳＣＨが対応したＨＡＲＱ−ＡＣＫ応答情報を送信し、Ｋｓに含まれる要素が１つを超える時、ＴＤＤシステムが複数のサービスセルまたは単一のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信することである。
【００４６】
好ましくは、ＰＵＣＣＨ  ｆｏｒｍａｔ  １ａまたはＰＵＣＣＨ  ｆｏｒｍａｔ  １ｂの方式を用いて第２サービスセルＰＤＳＣＨが対応したＨＡＲＱ−ＡＣＫ応答情報を送信することを確定すると、
Ｋｓが１つのみの要素を含む時、すなわち前記上りサブフレームが第２サービスセルの１つの下りサブフレームのＰＤＳＣＨが対応したＨＡＲＱ−ＡＣＫ応答情報をフィードバックする必要がある時、第２サービスセルが１つの伝送ブロックの伝送モードのみを含むように設定されると、ＰＵＣＣＨ  ｆｏｒｍａｔ  １ａの方式を用いて前記第２サービスセルＰＤＳＣＨが対応したＨＡＲＱ−ＡＣＫ応答情報を送信し、第２サービスセルが最大限に２つの伝送ブロックの伝送モードをバックアップするように設定されると、ＰＵＣＣＨ  ｆｏｒｍａｔ  １ｂの方式を用いて前記第２サービスセルＰＤＳＣＨが対応したＨＡＲＱ−ＡＣＫ応答情報を送信し、
Ｋｓに含まれる要素が２つである時、すなわち前記上りサブフレームは第２サービスセルの２つの下りサブフレームのＨＡＲＱ−ＡＣＫ応答情報をフィードバックする必要がある時、前記２つの下りサブフレームのＨＡＲＱ−ＡＣＫ応答情報を空間バインディングした後、前記２つの下りサブフレームが対応した２ビットＨＡＲＱ−ＡＣＫ応答情報を取得し、ＰＵＣＣＨ  ｆｏｒｍａｔ  １ｂを用いて前記２ビットＨＡＲＱ−ＡＣＫ応答情報を送信し、
Ｋｓに含まれる要素が２つを超える時、すなわち前記上りサブフレームがフィードバックする必要がある第２サービスセル下りサブフレームのＨＡＲＱ−ＡＣＫ応答情報は２つを超える時、前記複数の下りサブフレームのＨＡＲＱ−ＡＣＫ応答情報を空間バインディングした後、さらに時間領域バインディング操作を行い、２ビットＨＡＲＱ−ＡＣＫ応答情報を取得した後、ＰＵＣＣＨ  ｆｏｒｍａｔ  １ｂを用いて前記２ビットＨＡＲＱ−ＡＣＫ応答情報を送信する。
【００４７】
好ましくは、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信することを確定すると、 
Ｋｓが１つのみの要素を含む時、すなわち前記上りサブフレームは第２サービスセルの１つの下りサブフレームのＨＡＲＱ−ＡＣＫ応答情報をフィードバックする必要がある時、第２サービスセルが１つの伝送ブロックの伝送モードのみを含むように設定されると、ＴＤＤシステムキャリアがアグリゲーションする時Ａ＝２のチャネルを用いてマッピングテーブルを選択し、プライマリーサービスセルが対応したＨＡＲＱ−ＡＣＫ応答情報はＤＴＸに設定され、第２サービスセルが対応した１つのＰＵＣＣＨリソースは高層設定と動的指示シグナリングを組み合わせる方式により取得され、第２サービスセルが２つの伝送ブロックの伝送モードをバックアップするように設定されると、ＴＤＤシステムキャリアがアグリゲーションする時Ａ＝３のチャネルを用いてマッピングテーブルを選択し、プライマリーサービスセルが対応したＨＡＲＱ−ＡＣＫ応答情報はＤＴＸに設定され、第２サービスセルが対応した２つのＰＵＣＣＨリソースは高層設定と動的指示シグナリングを組み合わせる方式により確定され、
Ｋｓに含まれる要素が２つである時、すなわち前記上りサブフレームは第２サービスセルの２つの下りサブフレームのＨＡＲＱ−ＡＣＫ応答情報をフィードバックする必要がある時、前記２つの下りサブフレームのＨＡＲＱ−ＡＣＫ応答情報を空間バインディングした後、前記２つの下りサブフレームが対応した２ビットＨＡＲＱ−ＡＣＫ応答情報を取得し、ＴＤＤシステムキャリアがアグリゲーションする時Ａ＝４のチャネルを用いてマッピングテーブルを選択し、プライマリーサービスセルが対応したＨＡＲＱ−ＡＣＫ応答情報はＤＴＸに設定され、第２サービスセルが対応した２つのＰＵＣＣＨリソースは高層設定と動的指示シグナリングを組み合わせる方式により確定され、
Ｋｓに含まれる要素が２つを超える時、すなわち前記上りサブフレームがフィードバックする必要がある第２サービスセル下りサブフレームのＨＡＲＱ−ＡＣＫ応答情報は２つを超える時、前記複数の下りサブフレームのＨＡＲＱ−ＡＣＫ応答情報を空間バインディングした後、さらに時間領域バインディング操作を行い、２ビットＨＡＲＱ−ＡＣＫ応答情報を取得した後、ＰＵＣＣＨ  ｆｏｒｍａｔ  １ｂを用いて前記２ビットＨＡＲＱ−ＡＣＫ応答情報を送信し、ＴＤＤシステムキャリアがアグリゲーションする時Ｍ＝３またはＭ＝４（ＭはＫｓの大きさである）のチャネルを用いてマッピングテーブルを選択し、プライマリーサービスセルが対応したＨＡＲＱ−ＡＣＫ応答情報はＤＴＸに設定され、第２サービスセルが対応した２つのＰＵＣＣＨリソースは高層設定と動的指示シグナリングを組み合わせる方式により確定される。
【００４８】
好ましくは、ＴＤＤシステムが単一のサービスセルを設定する時のＰＵＣＣＨ  ｆｏｒｍａｔ  １ｂとチャネルセレクションを組み合わせる方式を用いて、第２サービスセルＰＤＳＣＨが対応したＨＡＲＱ−ＡＣＫ応答情報を送信することを確定すると、
Ｋｓが１つのみの要素を含む時、すなわち前記上りサブフレームは第２サービスセルの１つの下りサブフレームのＨＡＲＱ−ＡＣＫ応答情報をフィードバックする必要がある時、第２サービスセルが１つの伝送ブロックの伝送モードのみを含むように設定されると、ＰＵＣＣＨ  ｆｏｒｍａｔ  １ａの方式を用いて前記第２サービスセルＰＤＳＣＨが対応したＨＡＲＱ−ＡＣＫ応答情報を送信し、第２サービスセルが最大限に２つの伝送ブロックの伝送モードをバックアップするように設定されると、ＰＵＣＣＨ  ｆｏｒｍａｔ  １ｂの方式を用いて前記第２サービスセルＰＤＳＣＨが対応したＨＡＲＱ−ＡＣＫ応答情報を送信し、かつ前記ＨＡＲＱ−ＡＣＫ応答情報を送信する時対応するＰＵＣＣＨリソースは高層設定と動的指示シグナリングを組み合わせる方式により確定され、
Ｋｓに含まれる要素が１つを超える時、すなわち前記上りサブフレームは第２サービスセルの１つを超える下りサブフレームのＨＡＲＱ−ＡＣＫ応答情報をフィードバックする必要がある時、前記下りサブフレームのＨＡＲＱ−ＡＣＫ応答情報を空間バインディングした後、前記下りサブフレームが対応したＭ（ＭはＫｓの大きさである）ビットＨＡＲＱ−ＡＣＫ応答情報を取得し、ＴＤＤシステムが単一にサービスする時Ｍ＝２またはＭ＝３またはＭ＝４のチャネルを用いてマッピングテーブルを選択し、前記第２サービスセル上りサブフレームが対応した下りサブフレームは対応したＰＵＣＣＨリソースは高層設定と動的指示シグナリングを組み合わせる方式により確定される。
【００４９】
好ましくは、前記上りサブフレームが対応したフィードバックウィンドウ内のアグリゲーションされたサービスセルの下りサブフレームセットの間の関係に基づいて、サービスセルのＨＡＲＱ−ＡＣＫ応答情報の送信方式およびＨＡＲＱ−ＡＣＫ応答情報を送信する時使用するＰＵＣＣＨリソースを確定することは、具体的に、
前記上りサブフレームが対応した第２サービスセルの下りサブフレームセット（Ｋｓ）が空集合ではなく、前記上りサブフレームが対応したプライマリーサービスセルの下りサブフレームセット（Ｋｐ）も空集合ではなく、かつＫｓとＫｐの共通部分が空集合である時、
ＴＤＤシステムが複数のサービスセルを設定する時のＰＵＣＣＨ  ｆｏｒｍａｔ  １ｂとチャネルセレクションを組み合わせる方式を用いてＨＡＲＱ−ＡＣＫ応答情報を送信し、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、マッピングテーブルにおいて対応する下りサブフレームがないＨＡＲＱ−ＡＣＫ応答情報はＤＴＸ状態に設定され、第２サービスセルが対応したＰＵＣＣＨリソースは高層設定と動的指示シグナリングを組み合わせる方式により確定されることを含む。
【００５０】
好ましくは、前記上りサブフレームが対応したフィードバックウィンドウ内のアグリゲーションされたサービスセルの下りサブフレームセットの間の関係に基づいて、サービスセルのＨＡＲＱ−ＡＣＫ応答情報の送信方式およびＨＡＲＱ−ＡＣＫ応答情報を送信する時使用するＰＵＣＣＨリソースを確定することは、具体的に、
前記上りサブフレームが対応した第２サービスセルの下りサブフレームセット（Ｋｓ）が空集合ではなく、前記上りサブフレームが対応したプライマリーサービスセルの下りサブフレームセット（Ｋｐ）も空集合ではなく、かつＫｓとＫｐの共通部分が空集合ではない時、
ＫｓとＫｐの共通部分が対応した下りサブフレーム中において、第２サービスセルのフィードバックウィンドウ内の下りＤＡＩ＝１およびＤＡＩ＝２の下りサブフレームを含まないと、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信し、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、前記マッピングテーブルにおいて対応する下りサブフレームがないＨＡＲＱ−ＡＣＫ応答情報はＤＴＸ状態に設定され、第２サービスセルが対応した２つのＰＵＣＣＨリソース
【００５１】
0005891336.tif 000019
【００５２】
ＫｓとＫｐの共通部分が対応した下りサブフレーム中において、第２サービスセルのフィードバックウィンドウ内の下りＤＡＩ＝１またはＤＡＩ＝２の１つの下りサブフレームを含むと、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信し、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、前記マッピングテーブルにおいて対応する下りサブフレームがないＨＡＲＱ−ＡＣＫ応答情報はＤＴＸ状態に設定され、かつ、前記第２サービスセルがクロスキャリアススケジューリング
【００５３】
0005891336.tif 000020
【００５４】
ＫｓとＫｐの共通部分が対応した下りサブフレーム中において、第２サービスセルのフィードバックウィンドウ内の下りＤＡＩ＝１およびＤＡＩ＝２の下りサブフレームを含むと、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信し、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、前記マッピングテーブルにおいて対応する下りサブフレームがないＨＡＲＱ−ＡＣＫ応答情報はＤＴＸ状態に設定され、かつ、前記第２サービスセルがクロスキャリアススケジューリングを用い
【００５５】
0005891336.tif 000021
【００５６】
合わせる方式により確定されることを含む。
【００５７】
好ましくは、前記上りサブフレームが対応したフィードバックウィンドウ内のアグリゲーションされたサービスセルの下りサブフレームセットの間の関係に基づいて、サービスセルのＨＡＲＱ−ＡＣＫ応答情報の送信方式およびＨＡＲＱ−ＡＣＫ応答情報を送信する時使用するＰＵＣＣＨリソースを確定することは、具体的に、
前記上りサブフレームが対応した第２サービスセルの下りサブフレームセット（Ｋｓ）が前記上りサブフレームが対応したプライマリーサービスセルの下りサブフレームセット（Ｋｐ）の１つのサブセットである時、またはＫｓがＫｐに等しい時、前記第２サービスセルがクロスキャリアススケジューリングを用いる時、ＰＵＣＣＨリソースとＰＤＣＣＨのＣＣＥインデックスの暗黙的マッピング関係に基づいて前記第２サービスセルが対応したＰＵＣＣＨリソースを確定し、前記第２サービスセルがクロスキャリアススケジューリングを用いていない時、前記第２サービスセルが対応したＰＵＣＣＨリソースは高層設定と動的指示シグナリングを組み合わせる方式により確定されること、または、前記第２サービスセルがクロスキャリアススケジューリングを用いるかどうかにもかかわらず、前記第２サービスセルが対応したものはいずれも高層設定と動的指示シグナリングを組み合わせる方式により確定されることを含む。
【００５８】
本発明の実施例はハイブリッド自動再送要求確認応答情報送信装置をさらに提供しており、前記装置は、
上りサブフレームが対応したフィードバックウィンドウ内のアグリゲーションされたサービスセルの下りサブフレームセットの間の関係に基づいて、ＨＡＲＱ−ＡＣＫ応答情報の送信方式およびＨＡＲＱ−ＡＣＫ応答情報を送信する時使用するＰＵＣＣＨリソースを確定するように設置される送信方式およびリソース確定モジュール、
確定された前記ＰＵＣＣＨリソース上に、確定された前記ＨＡＲＱ−ＡＣＫ応答情報送信方式を用いて、ＰＤＳＣＨまたはＳＰＳ  ｒｅｌｅａｓｅ  ＰＤＣＣＨが対応したＨＡＲＱ−ＡＣＫ応答情報を送信するように設置される応答情報送信モジュールを含む。
【００５９】
好ましくは、前記装置はタイミング関係確定モジュールをさらに含み、
前記タイミング関係確定モジュールは、
前記第２サービスセルの上り下り設定での下りサブフレーム集合がプライマリーサービスセルの上り下り設定下での下りサブフレーム集合のサブセットである時、前記第２サービスセルのＰＤＳＣＨとＨＡＲＱ−ＡＣＫ応答情報のタイミング関係はプライマリーサービスセルが対応したＰＤＳＣＨとＨＡＲＱ−ＡＣＫ応答情報のタイミング関係に従い、
前記第２サービスセルの上り下り設定での下りサブフレーム集合がプライマリーサービスセルの上り下り設定での下りサブフレーム集合のサブセットではない時、前記第２サービスセルのＰＤＳＣＨとＨＡＲＱ−ＡＣＫ応答情報のタイミング関係は前記プライマリーサービスセルが対応したＰＤＳＣＨとＨＡＲＱ−ＡＣＫ応答情報のタイミング関係に従い、または前記第２サービスセルが対応したＰＤＳＣＨとＨＡＲＱ−ＡＣＫ応答情報のタイミング関係に従い、または参照上り下り設定Ｘが対応したＰＤＳＣＨとＨＡＲＱタイミング関係に従い、そのうち、前記参照上り下り設定Ｘは、該上り下り設定での上りサブフレーム集合がプライマリーサービスセルの上り下り設定での上りサブフレーム集合のサブセットでもあり、第２サービスセルの上り下り設定での上りサブフレーム集合のサブセットでもあるという条件を満たす上り下り設定のうち、下りサブフレーム集合が最小である上り下り設定であるという方式で、第２サービスセルのＰＤＳＣＨとＨＡＲＱ−ＡＣＫ応答情報のタイミング関係を確定するように設置される。
【００６０】
好ましくは、前記送信方式およびリソース確定モジュールは、前記タイミング関係確定モジュールが確定した前記第２サービスセルのＰＤＳＣＨとＨＡＲＱ−ＡＣＫ応答情報のタイミング関係に基づいて、上りサブフレームが対応したフィードバックウィンドウ内のアグリゲーションされたサービスセルの下りサブフレームセットを確定するように設置される。
【００６１】
好ましくは、前記送信方式およびリソース確定モジュールは、前記上りサブフレームが対応した第２サービスセルの下りサブフレームセットが空集合ではなく、前記上りサブフレームが対応したプライマリーサービスセルの下りサブフレームセットが空集合である時、
ＰＵＣＣＨ  ｆｏｒｍａｔ  １ａまたはＰＵＣＣＨ  ｆｏｒｍａｔ  １ｂの方式を用いて第２サービスセルＰＤＳＣＨが対応したＨＡＲＱ−ＡＣＫ応答情報を送信し、そのうちＨＡＲＱ−ＡＣＫ応答情報の送信に必要なＰＵＣＣＨリソースは高層設定と動的指示シグナリングを組み合わせる方式により確定され、またはＨＡＲＱ−ＡＣＫ応答情報の送信に必要なＰＵＣＣＨリソースは高層設定の方式のみにより確定され、
または、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信し、そのうち、ＰＵＣＣＨ  ｆｏｒｍａｔ  １ｂに基づくチャネルセレクション時使用するマッピングテーブルは、前記上りサブフレームが対応した第２サービスセルの下りサブフレームセット（Ｋｓ）の大きさに基づいて確定され、前記マッピングテーブルにおけるプライマリーサービスセルのＨＡＲＱ−ＡＣＫ応答情報は、不連続送信（ＤＴＸ）状態に設定され、前記第２サービスセルが対応したＰＵＣＣＨリソースは高層設定と動的指示シグナリングを組み合わせる方式により確定され、
または、ＴＤＤシステムが単一のサービスセルを設定する時のＰＵＣＣＨ  ｆｏｒｍａｔ  １ｂとチャネルセレクションを組み合わせる方式を用いて、第２サービスセルＰＤＳＣＨが対応したＨＡＲＱ−ＡＣＫ応答情報を送信し、そのうち、ＰＵＣＣＨ  ｆｏｒｍａｔ  １ｂに基づくチャネルセレクション時使用するマッピングテーブルは、前記上りサブフレームが対応した第２サービスセルの下りサブフレームセット（Ｋｓ）の大きさに基づいて確定され、前記第２サービスセル上りサブフレームが対応した下りサブフレームが対応したＰＵＣＣＨリソースは高層設定と動的指示シグナリングを組み合わせる方式により確定されるように設置される。
【００６２】
好ましくは、前記送信方式およびリソース確定モジュールは、前記上りサブフレームが対応した第２サービスセルの下りサブフレームセット（Ｋｓ）の大きさに基づいてＨＡＲＱ−ＡＣＫ応答情報の送信方式を確定するように設置され、
Ｋｓに含まれる要素が１つまたは２つである時、ＰＵＣＣＨ  ｆｏｒｍａｔ  １ａまたはＰＵＣＣＨ  ｆｏｒｍａｔ  １ｂの方式を用いて前記第２サービスセルＰＤＳＣＨが対応したＨＡＲＱ−ＡＣＫ応答情報を送信し、Ｋｓに含まれる要素が２つを超える時、ＴＤＤシステムが複数のサービスセルまたは単一のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信し、
または、Ｋｓに含まれる要素が１つである時、ＰＵＣＣＨ  ｆｏｒｍａｔ  １ａまたはＰＵＣＣＨ  ｆｏｒｍａｔ  １ｂの方式を用いて前記第２サービスセルＰＤＳＣＨが対応したＨＡＲＱ−ＡＣＫ応答情報を送信し、Ｋｓに含まれる要素が１つを超える時、ＴＤＤシステムが複数のサービスセルまたは単一のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信する。
【００６３】
好ましくは、前記送信方式およびリソース確定モジュールは、ＰＵＣＣＨ  ｆｏｒｍａｔ  １ａまたはＰＵＣＣＨ  ｆｏｒｍａｔ  １ｂの方式を用いて第２サービスセルＰＤＳＣＨが対応したＨＡＲＱ−ＡＣＫ応答情報を送信することを確定すると、
Ｋｓが１つのみの要素を含む時、すなわち前記上りサブフレームが第２サービスセルの１つの下りサブフレームのＰＤＳＣＨが対応したＨＡＲＱ−ＡＣＫ応答情報をフィードバックする必要がある時、第２サービスセルが１つの伝送ブロックの伝送モードのみを含むように設定されると、ＰＵＣＣＨ  ｆｏｒｍａｔ  １ａの方式を用いて前記第２サービスセルＰＤＳＣＨが対応したＨＡＲＱ−ＡＣＫ応答情報を送信し、第２サービスセルが最大限に２つの伝送ブロックの伝送モードをバックアップするように設定されると、ＰＵＣＣＨ  ｆｏｒｍａｔ  １ｂの方式を用いて前記第２サービスセルＰＤＳＣＨが対応したＨＡＲＱ−ＡＣＫ応答情報を送信し、
Ｋｓに含まれる要素が２つである時、すなわち前記上りサブフレームは第２サービスセルの２つの下りサブフレームのＨＡＲＱ−ＡＣＫ応答情報をフィードバックする必要がある時、前記２つの下りサブフレームのＨＡＲＱ−ＡＣＫ応答情報を空間バインディングした後、前記２つの下りサブフレームが対応した２ビットＨＡＲＱ−ＡＣＫ応答情報を取得し、ＰＵＣＣＨ  ｆｏｒｍａｔ  １ｂを用いて前記２ビットＨＡＲＱ−ＡＣＫ応答情報を送信し、
Ｋｓに含まれる要素が２つを超える時、すなわち前記上りサブフレームがフィードバックする必要がある第２サービスセル下りサブフレームのＨＡＲＱ−ＡＣＫ応答情報は２つを超える時、前記複数の下りサブフレームのＨＡＲＱ−ＡＣＫ応答情報を空間バインディングした後、さらに時間領域バインディング操作を行い、２ビットＨＡＲＱ−ＡＣＫ応答情報を取得した後、ＰＵＣＣＨ  ｆｏｒｍａｔ  １ｂを用いて前記２ビットＨＡＲＱ−ＡＣＫ応答情報を送信するように設置される。
【００６４】
好ましくは、前記送信方式およびリソース確定モジュールは、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信することを確定すると、
Ｋｓが１つのみの要素を含む時、すなわち前記上りサブフレームは第２サービスセルの１つの下りサブフレームのＨＡＲＱ−ＡＣＫ応答情報をフィードバックする必要がある時、第２サービスセルが１つの伝送ブロックの伝送モードのみを含むように設定されると、ＴＤＤシステムキャリアがアグリゲーションする時Ａ＝２のチャネルを用いてマッピングテーブルを選択し、プライマリーサービスセルが対応したＨＡＲＱ−ＡＣＫ応答情報はＤＴＸに設定され、第２サービスセルが対応した１つのＰＵＣＣＨリソースは高層設定と動的指示シグナリングを組み合わせる方式により取得され、第２サービスセルが２つの伝送ブロックの伝送モードをバックアップするように設定されると、ＴＤＤシステムキャリアがアグリゲーションする時Ａ＝３のチャネルを用いてマッピングテーブルを選択し、プライマリーサービスセルが対応したＨＡＲＱ−ＡＣＫ応答情報はＤＴＸに設定され、第２サービスセルが対応した２つのＰＵＣＣＨリソースは高層設定と動的指示シグナリングを組み合わせる方式により確定され、
Ｋｓに含まれる要素が２つである時、すなわち前記上りサブフレームは第２サービスセルの２つの下りサブフレームのＨＡＲＱ−ＡＣＫ応答情報をフィードバックする必要がある時、前記２つの下りサブフレームのＨＡＲＱ−ＡＣＫ応答情報を空間バインディングした後、前記２つの下りサブフレームが対応した２ビットＨＡＲＱ−ＡＣＫ応答情報を取得し、ＴＤＤシステムキャリアがアグリゲーションする時Ａ＝４のチャネルを用いてマッピングテーブルを選択し、プライマリーサービスセルが対応したＨＡＲＱ−ＡＣＫ応答情報はＤＴＸに設定され、第２サービスセルが対応した２つのＰＵＣＣＨリソースは高層設定と動的指示シグナリングを組み合わせる方式により確定され、
Ｋｓに含まれる要素が２つを超える時、すなわち前記上りサブフレームがフィードバックする必要がある第２サービスセル下りサブフレームのＨＡＲＱ−ＡＣＫ応答情報は２つを超える時、前記複数の下りサブフレームのＨＡＲＱ−ＡＣＫ応答情報を空間バインディングした後、さらに時間領域バインディング操作を行い、２ビットＨＡＲＱ−ＡＣＫ応答情報を取得した後、ＰＵＣＣＨ  ｆｏｒｍａｔ  １ｂを用いて前記２ビットＨＡＲＱ−ＡＣＫ応答情報を送信し、ＴＤＤシステムキャリアがアグリゲーションする時Ｍ＝３またはＭ＝４（ＭはＫｓの大きさである）のチャネルを用いてマッピングテーブルを選択し、プライマリーサービスセルが対応したＨＡＲＱ−ＡＣＫ応答情報はＤＴＸに設定され、第２サービスセルが対応した２つのＰＵＣＣＨリソースは高層設定と動的指示シグナリングを組み合わせる方式により確定されるように設置される。
【００６５】
好ましくは、前記送信方式およびリソース確定モジュールは、ＴＤＤシステムが単一のサービスセルを設定する時のＰＵＣＣＨ  ｆｏｒｍａｔ  １ｂとチャネルセレクションを組み合わせる方式を用いて、第２サービスセルＰＤＳＣＨが対応したＨＡＲＱ−ＡＣＫ応答情報を送信することを確定すると、
Ｋｓが１つのみの要素を含む時、すなわち前記上りサブフレームは第２サービスセルの１つの下りサブフレームのＨＡＲＱ−ＡＣＫ応答情報をフィードバックする必要がある時、第２サービスセルが１つの伝送ブロックの伝送モードのみを含むように設定されると、ＰＵＣＣＨ  ｆｏｒｍａｔ  １ａの方式を用いて前記第２サービスセルＰＤＳＣＨが対応したＨＡＲＱ−ＡＣＫ応答情報を送信し、第２サービスセルが最大限に２つの伝送ブロックの伝送モードをバックアップするように設定されると、ＰＵＣＣＨ  ｆｏｒｍａｔ  １ｂの方式を用いて前記第２サービスセルＰＤＳＣＨが対応したＨＡＲＱ−ＡＣＫ応答情報を送信し、かつ前記ＨＡＲＱ−ＡＣＫ応答情報を送信する時対応するＰＵＣＣＨリソースは高層設定と動的指示シグナリングを組み合わせる方式により確定され、
Ｋｓに含まれる要素が１つを超える時、すなわち前記上りサブフレームは第２サービスセルの１つを超える下りサブフレームのＨＡＲＱ−ＡＣＫ応答情報をフィードバックする必要がある時、前記下りサブフレームのＨＡＲＱ−ＡＣＫ応答情報を空間バインディングした後、前記下りサブフレームが対応したＭ（ＭはＫｓの大きさである）ビットＨＡＲＱ−ＡＣＫ応答情報を取得し、ＴＤＤシステムが単一にサービスする時Ｍ＝２またはＭ＝３またはＭ＝４のチャネルを用いてマッピングテーブルを選択し、前記第２サービスセル上りサブフレームが対応した下りサブフレームは対応したＰＵＣＣＨリソースは高層設定と動的指示シグナリングを組み合わせる方式により確定されるように設置される。
【００６６】
好ましくは、前記送信方式およびリソース確定モジュールは、前記上りサブフレームが対応した第２サービスセルの下りサブフレームセット（Ｋｓ）が空集合ではなく、前記上りサブフレームが対応したプライマリーサービスセルの下りサブフレームセット（Ｋｐ）も空集合ではなく、かつＫｓとＫｐの共通部分が空集合である時、
ＴＤＤシステムが複数のサービスセルを設定する時のＰＵＣＣＨ  ｆｏｒｍａｔ  １ｂとチャネルセレクションを組み合わせる方式を用いてＨＡＲＱ−ＡＣＫ応答情報を送信し、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、マッピングテーブルにおいて対応する下りサブフレームがないＨＡＲＱ−ＡＣＫ応答情報はＤＴＸ状態に設定され、第２サービスセルが対応したＰＵＣＣＨリソースは高層設定と動的指示シグナリングを組み合わせる方式により確定されるように設置される。
【００６７】
好ましくは、前記送信方式およびリソース確定モジュールは、前記上りサブフレームが対応した第２サービスセルの下りサブフレームセット（Ｋｓ）が空集合ではなく、前記上りサブフレームが対応したプライマリーサービスセルの下りサブフレームセット（Ｋｐ）も空集合ではなく、かつＫｓとＫｐの共通部分が空集合ではない時、
ＫｓとＫｐの共通部分が対応した下りサブフレーム中において、第２サービスセルのフィードバックウィンドウ内の下りＤＡＩ＝１およびＤＡＩ＝２の下りサブフレームを含まないと、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信し、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、前記マッピングテーブルにおいて対応する下りサブフレームがないＨＡＲＱ−ＡＣＫ応答情報はＤＴＸ状態に設定され、第２サービスセルが対応した２つのＰＵＣＣＨリソース
【００６８】
0005891336.tif 000022
【００６９】
ＫｓとＫｐの共通部分が対応した下りサブフレーム中において、第２サービスセルのフィードバックウィンドウ内の下りＤＡＩ＝１またはＤＡＩ＝２の１つの下りサブフレームを含むと、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信し、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、前記マッピングテーブルにおいて対応する下りサブフレームがないＨＡＲＱ−ＡＣＫ応答情報はＤＴＸ状態に設定され、かつ、前記第２サービスセルがクロスキャリアススケジューリング
【００７０】
0005891336.tif 000023
【００７１】
ＫｓとＫｐの共通部分が対応した下りサブフレーム中において、第２サービスセルのフィードバックウィンドウ内の下りＤＡＩ＝１およびＤＡＩ＝２の下りサブフレームを含むと、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信し、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、前記マッピングテーブルにおいて対応する下りサブフレームがないＨＡＲＱ−ＡＣＫ応答情報はＤＴＸ状態に設定され、かつ、前記第２サービスセルがクロスキャリアススケジューリングを用い
【００７２】
0005891336.tif 000024
【００７３】
合わせる方式により確定されることに用いられる。
【００７４】
好ましくは、前記送信方式およびリソース確定モジュールは、前記上りサブフレームが対応した第２サービスセルの下りサブフレームセット（Ｋｓ）が前記上りサブフレームが対応したプライマリーサービスセルの下りサブフレームセット（Ｋｐ）の１つのサブセットである、またはＫｓがＫｐに等しい時、
前記第２サービスセルがクロスキャリアススケジューリングを用いる時、ＰＵＣＣＨリソースとＰＤＣＣＨのＣＣＥインデックスの暗黙的マッピング関係に基づいて前記第２サービスセルが対応したＰＵＣＣＨリソースを確定し、前記第２サービスセルがクロスキャリアススケジューリングを用いていない時、前記第２サービスセルが対応したＰＵＣＣＨリソースは高層設定と動的指示シグナリングを組み合わせる方式により確定され、
または、前記第２サービスセルがクロスキャリアススケジューリングを用いるかどうかにもかかわらず、前記第２サービスセルが対応したものはいずれも高層設定と動的指示シグナリングを組み合わせる方式により確定されるように設置される。
【図面の簡単な説明】
【００７５】
ここで説明する図面は本発明を更に理解するためのものであり、本願の一部分を構成し、本発明の例示性実施例およびその説明は本発明を解釈することに用いられ、本発明を限定するものではない。図面において、
【図１】図１は関連技術によるＬＴＥ／ＬＴＥ−Ａ  ＦＤＤシステムにおけるフレーム構造の模式図である。
【図２】図２は関連技術によるＬＴＥ／ＬＴＥ−Ａ  ＴＤＤシステムにおけるフレーム構造の模式図である。
【図３】図３は第２サービスセルのＰＤＳＣＨとＨＡＲＱ−ＡＣＫタイミング関係の模式図である。
【図４】図４は異なる上り下り設定のキャリアアグリゲーション時の分類模式図である。
【図５】図５は設定＃０と設定＃１アグリゲーションの時プライマリー第２サービスセルのＰＤＳＣＨとＨＡＲＱ−ＡＣＫのタイミング関係模式図である。
【図６】図６は設定＃０と設定＃１アグリゲーションの時プライマリー第２サービスセルのＰＤＳＣＨとＨＡＲＱ−ＡＣＫのタイミング関係の別の模式図である。
【図７】図７は設定＃０と設定＃３アグリゲーションの時プライマリー第２サービスセルのＰＤＳＣＨとＨＡＲＱ−ＡＣＫのタイミング関係模式図である。
【図８】図８は設定＃０と設定＃４アグリゲーションの時プライマリー第２サービスセルのＰＤＳＣＨとＨＡＲＱ−ＡＣＫのタイミング関係模式図である。
【図９】図９は設定＃６と設定＃３アグリゲーションの時プライマリー第２サービスセルのＰＤＳＣＨとＨＡＲＱ−ＡＣＫのタイミング関係模式図である。
【図１０】図１０は設定＃０と設定＃２アグリゲーションの時プライマリー第２サービスセルのＰＤＳＣＨとＨＡＲＱ−ＡＣＫのタイミング関係模式図である。
【図１１】図１１は設定＃１と設定＃２アグリゲーションの時プライマリー第２サービスセルのＰＤＳＣＨとＨＡＲＱ−ＡＣＫのタイミング関係模式図である。
【図１２】図１２は設定＃１と設定＃３アグリゲーションの時プライマリー第２サービスセルのＰＤＳＣＨとＨＡＲＱ−ＡＣＫのタイミング関係模式図である。
【図１３】図１３は本発明の実施例中おけるハイブリッド自動再送要求確認応答情報送信装置の構造模式図である。
【発明を実施するための形態】
【００７６】
前記のように、ＰＵＣＣＨリソースの確定とマッピングテーブルの確定は緊密に関連し、マッピングテーブルの確定と第２サービスセルのＰＤＳＣＨとＨＡＲＱ−ＡＣＫのタイミング関係も緊密に関連する。
【００７７】
さらに、ＰＵＣＣＨ  ｆｏｒｍａｔ  １ｂに基づくチャネルセレクションは２つのサービスセルのみのアグリゲーションをバックアップすることができ、従って、後続検討中において、２つのサービスセルのアグリゲーションに関わり、つまりプライマリーサービスセル（ＰＣｅｌｌ）および１つの第２サービスセル（ＳＣｅｌｌ）のみを有する。
【００７８】
第２サービスセルの各下りサブフレームのＰＤＳＣＨと相応なＨＡＲＱ−ＡＣＫタイミング関係を配慮して、アグリゲーションに参与するプライマリーサービスセルと第２サービスセルの上り下り設定に関連し、従って、アグリゲーションに参与するサービスセルの下りサブフレームセットの間の関係に基づいて、下記の三大類シーンに分けられ、具体的には図４に示すように、
第１類：第２サービスセルの上り下り設定での下りサブフレーム集合はプライマリーサービスセルの上り下り設定での下りサブフレーム集合の１つのサブセットであり、
すなわち、第２サービスセルのすべての下りサブフレームは、いずれもプライマリーサービスセルの下りサブフレーム集合に見つけることができ、
第２類：第２サービスセルの上り下り設定での下りサブフレーム集合はプライマリーサービスセル上り下り設定での下りサブフレーム集合のスーパーセットであり、
すなわち、プライマリーサービスセルのすべての下りサブフレームは、いずれも第２サービスセルの下りサブフレーム集合に見つけることができ、
第３類：第２サービスセルの上り下り設定での下りサブフレーム集合はプライマリーサービスセルの上り下り設定での下りサブフレーム集合のサブセットでもなく、プライマリーサービスセルの下りサブフレーム集合のスーパーセットでもない。
【００７９】
以下、それぞれ上記三大類シーンの処理方式を具体的に説明する。
【００８０】
第１類シーンのアグリゲーションに対して、その処理方式は、第２サービスセルのＰＤＳＣＨとＨＡＲＱ−ＡＣＫ応答情報のタイミング関係が、プライマリーサービスセルと同じタイミング関係を用いる。このように、ある上りサブフレーム上にＨＡＲＱ−ＡＣＫをフィードバックする時、該上りサブフレームが対応した第２サービスセルの下りサブフレームは必ずプライマリーサービスセル下りサブフレームの１つのサブセットであり、この時、第２サービスセルが対応したＰＵＣＣＨリソースは、第２サービスセルがクロスキャリアススケジューリングを用いる時、第２サービスセルが対応したＰＵＣＣＨリソースがＰＤＣＣＨのＣＣＥインデックスとの暗黙的マッピング関係により確定され、第２サービスセルがクロスキャリアススケジューリングを用いていない時、第２サービスセルが対応したＰＵＣＣＨリソースが高層設定と動的指示シグナリングを組み合わせる方式により確定されることができる。後続バージョン中においてＰＤＣＣＨに対して相応な強化を行う必要があることを配慮して、下りコントロール情報は従来のＰＤＣＣＨ領域送信に制限されなくなり、この時、第２サービスセルがクロスキャリアススケジューリングを用いるかどうかにもかかわらず、第２サービスセルが対応したＰＵＣＣＨリソースは高層設定と動的指示シグナリングを組み合わせる方式により確定されることができる。
【００８１】
第２類および第３類シーンのアグリゲーションに対して、第２サービスセルのＰＤＳＣＨとＨＡＲＱ−ＡＣＫ応答情報のタイミング関係は下記のいくつ種の候補方案を有する。
【００８２】
候補方案１：プライマリーサービスセルのタイミング関係を用いる。
【００８３】
候補方案２：第２サービスセル自体のタイミング関係を用いる。
【００８４】
候補方案３：参照上り下り設定Ｘのタイミング関係を用いる。
【００８５】
ただし、広義から見れば、上記の候補方案１および候補方案２は候補方案３の１つの特例と見なしてもよく、つまり、候補方案１中において、参照上り下り設定はプライマリーサービスセルに固定され、候補方案２中において、参照上り下り設定は第２サービスセルである。従って、候補方案３と候補方案１および２を区別するために、以下、候補方案３中における参照上り下り設定はアグリゲーションされたサービスセルと異なる上り下り設定に限定される。
【００８６】
候補方案３中において、参照上り下り設定Ｘは、該上り下り設定での上りサブフレーム集合がプライマリーサービスセルの上り下り設定での上りサブフレーム集合のサブセットでもあり、第２サービスセルの上り下り設定での上りサブフレーム集合のサブセットでもあるという条件を満たす上り下り設定のうち、下りサブフレーム集合が最小である上り下り設定であり、このような参照上り下り設定は第２サービスセルの下りサブフレームのＰＤＳＣＨのＨＡＲＱ−ＡＣＫフィードバックがいずれもプライマリーサービスセルの上りサブフレーム上にフィードバックできることを保証することができる。図１２に示すように、設定＃１と設定＃３のアグリゲーションに対して、「該上り下り設定での上りサブフレーム集合がプライマリーサービスセルの上り下り設定での上りサブフレーム集合のサブセットでもあり、第２サービスセルの上り下り設定での上りサブフレーム集合のサブセットでもある」という条件を満たす上り下り設定は、設定＃４および設定＃５であり、そのうち設定＃４の下りサブフレーム集合は設定＃５に対して小さく、したがって参照上り下り設定は設定＃４を選択され、このように設定＃４のタイミング関係に基づいて、第２サービスセルの下りサブフレーム＃０／１／５のＨＡＲＱ−ＡＣＫは次の無線フレームのサブフレーム＃２上に送信され、第２サービスセルの下りサブフレーム＃６／７／８／９のＨＡＲＱ−ＡＣＫは次の無線フレームのサブフレーム＃３上に送信され、サブフレーム＃２および＃３はプライマリーサービスセルにおいていずれも上りサブフレームであり、したがって、第２サービスセルの各个下りサブフレームのＨＡＲＱ−ＡＣＫはいずれもプライマリーサービスセル上に送信する相応な上りサブフレームがあることを保証することができる。
【００８７】
第２類シーンのアグリゲーションに対して、候補方案１を用いる時、第２サービスセルのＰＤＳＣＨとＨＡＲＱ−ＡＣＫのタイミング関係はプライマリーサービスセルと同じタイミング関係を用いるため、ある上りサブフレーム上にＨＡＲＱ−ＡＣＫをフィードバックする時、該上りサブフレームが対応した第２サービスセルの下りサブフレームセットは必然的にプライマリーサービスセル下りサブフレームセットと同じである。この時、第２サービスセルがクロスキャリアススケジューリングを用いる時、第２サービスセルが対応したＰＵＣＣＨリソースはＰＤＣＣＨのＣＣＥインデックスの暗黙的マッピングの方式により確定されてもよく、第２サービスセルがクロスキャリアススケジューリングを用いていない時、第２サービスセルが対応したＰＵＣＣＨリソースは高層設定と動的指示シグナリングを組み合わせる方式により確定されてもよい。後続バージョン中においてＰＤＣＣＨに対して相応な強化を行う必要があることを配慮して、下りコントロール情報は従来のＰＤＣＣＨ領域送信に制限されなくなり、この時、第２サービスセルがクロスキャリアススケジューリングを用いるかどうかにもかかわらず、第２サービスセルが対応したＰＵＣＣＨリソースは高層設定と動的指示シグナリングを組み合わせる方式により確定されてもよい。
【００８８】
第２類シーンのアグリゲーションに対して、候補方案２を用いる時、第２サービスセルのＰＤＳＣＨとＨＡＲＱ−ＡＣＫのタイミング関係は第２サービスセル自体のタイミング関係を用いるため、ある上りサブフレーム上にＨＡＲＱ−ＡＣＫをフィードバックする時、該上りサブフレームが対応した第２サービスセルの下りサブフレームセット（Ｋｓと記する）と該上りサブフレームが対応したプライマリーサービスセルの下りサブフレームセット（Ｋｐと記する）の間の関係は、下記のいくつかの場合を有してもよく、
【００８９】
0005891336.tif 000025
【００９０】
上記場合１に対して、該上りサブフレーム上に、プライマリーサービスセルＰＤＳＣＨが対応したＨＡＲＱ−ＡＣＫ応答情報をフィードバックする必要がなく、第２サービスセルＰＤＳＣＨが対応したＨＡＲＱ−ＡＣＫ応答情報のみをフィードバックする必要があることに相当し、該場合１に対して、下記の処理方式を有してもよく、
処理方式１−１：ＰＵＣＣＨ  ｆｏｒｍａｔ  １ａ／１ｂを用いて第２サービスセルＰＤＳＣＨが対応したＨＡＲＱ−ＡＣＫ応答情報をフィードバックし、そのうちＨＡＲＱ−ＡＣＫのフィードバックに必要なＰＵＣＣＨリソースは高層設定とＰＤＣＣＨ動的指示を組み合わせる方式により確定され、かつＫｓが１つのみの要素を含む時、つまり第２サービスセル１つの下りサブフレームのＨＡＲＱ−ＡＣＫ応答情報をフィードバックする必要がある時、ｆｏｒｍａｔ  １ａ（第２サービスセルに対応して１つのみの伝送ブロックを含む伝送モードに設定される）またはｆｏｒｍａｔ  １ｂ（第２サービスセルに対応して最大限に２つの伝送ブロックをバックアップする伝送モードに設定される）を用いて送信し、Ｋｓに含まれる要素が２である時、つまり該上りサブフレームが第２サービスセルの２つの下りサブフレームのＨＡＲＱ−ＡＣＫ応答情報をフィードバックする必要がある時、前記２つの下りサブフレームのＨＡＲＱ−ＡＣＫ応答情報を空間バインディング（つまり空間ロジックおよび操作）し、前記２つの下りサブフレームが対応した２ビットＨＡＲＱ−ＡＣＫ応答情報を取得し、ｆｏｒｍａｔ  １ｂを用いて前記２ビットＨＡＲＱ−ＡＣＫ情報を送信し、Ｋｓに含まれる要素が２を超える時、つまり該上りサブフレームがフィードバックする必要がある第２サービスセル下りサブフレームのＨＡＲＱ−ＡＣＫ応答情報は２つを超える時、前記複数の下りサブフレームのＨＡＲＱ−ＡＣＫ応答情報を空間バインディングした後、さらに時間領域バインディング操作を行い、２ビット情報を取得し、次にｆｏｒｍａｔ  １ｂを用いて前記２ビット情報を送信する。
【００９１】
処理方式１−２：ＴＤＤシステムが複数のサービスセルを設定する時のＰＵＣＣＨ  ｆｏｒｍａｔ  １ｂとチャネルセレクションを組み合わせる方式を用いて相応なＨＡＲＱ−ＡＣＫ応答情報をフィードバックし、そのうち、ＰＵＣＣＨ  ｆｏｒｍａｔ  １ｂに基づくチャネルセレクション時使用するマッピングテーブルはＫｓの大きさに基づいて確定され、マッピングテーブルにおけるプライマリーサービスセルのＨＡＲＱ−ＡＣＫ応答情報はＤＴＸ状態に設定され、第２サービスセルが対応したＰＵＣＣＨリソースは高層設定とＰＤＣＣＨ動的指示を組み合わせる方式により取得される。
【００９２】
処理方式１−３：ＴＤＤシステムがシングルサービスセルを設定する時のＰＵＣＣＨ  ｆｏｒｍａｔ  １ｂとチャネルセレクションを組み合わせる方式を用いて相応なＨＡＲＱ−ＡＣＫ応答情報をフィードバックし、そのうち、ＰＵＣＣＨ  ｆｏｒｍａｔ  １ｂに基づくチャネルセレクション時使用するマッピングテーブルは、前記上りサブフレームが対応した第２サービスセルの下りサブフレームセット（Ｋｓ）の大きさに基づいて確定され、前記第２サービスセル上りサブフレームが対応した下りサブフレームは対応したＰＵＣＣＨリソースは高層設定に基づく動的指示の方式により確定される。
【００９３】
処理方式１−４：Ｋｓの大きさに基づいて上記送信方式の１つを用いることを確定し、具体的には、
Ｋｓに含まれる要素が１つまたは２つである時、ＰＵＣＣＨ  ｆｏｒｍａｔ  １ａまたはＰＵＣＣＨ  ｆｏｒｍａｔ  １ｂの方式を用いて前記第２サービスセルＰＤＳＣＨが対応したＨＡＲＱ−ＡＣＫ応答情報を送信し、Ｋｓに含まれる要素が２つを超える時、ＴＤＤシステムが複数のサービスセルまたは単一のサービスセルを設定する時のＰＵＣＣＨ  ｆｏｒｍａｔ  １ｂとチャネルセレクションを組み合わせる方式を用いて前記第２サービスセルＰＤＳＣＨが対応したＨＡＲＱ−ＡＣＫ応答情報を送信し、
または、Ｋｓに含まれる要素が１つである時、ＰＵＣＣＨ  ｆｏｒｍａｔ  １ａまたはＰＵＣＣＨ  ｆｏｒｍａｔ  １ｂの方式を用いて前記第２サービスセルＰＤＳＣＨが対応したＨＡＲＱ−ＡＣＫ応答情報を送信し、Ｋｓに含まれる要素が１つを超える時、ＴＤＤシステムが複数のサービスセルまたは単一のサービスセルを設定する時のＰＵＣＣＨ  ｆｏｒｍａｔ  １ｂとチャネルセレクションを組み合わせる方式を用いて前記第２サービスセルＰＤＳＣＨが対応したＨＡＲＱ−ＡＣＫ応答情報を送信する。
【００９４】
場合２に対して、ＴＤＤシステムが複数のサービスセルを設定する時のＰＵＣＣＨ  ｆｏｒｍａｔ  １ｂとチャネルセレクションを組み合わせる方式を用いて相応なＨＡＲＱ−ＡＣＫ応答情報をフィードバックし、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、マッピングテーブルにおける相応な下りサブフレームがないＨＡＲＱ−ＡＣＫ応答情報はＤＴＸ状態に設定され、第２サービスセルが対応した２つのＰＵＣＣＨリソースは高層設定と動的指示シグナリングを組み合わせる方式により取得される。
【００９５】
場合３に対して、更に下記場合に分けられ、
場合３−１：ＫｓとＫｐには共同に含まれる下りサブフレーム中において、第２サービスセルのバインディングウィンドウ内の下りＤＡＩ＝１およびＤＡＩ＝２の下りサブフレームが含まず、
場合３−２：ＫｓとＫｐには共同に含まれる下りサブフレーム中において、在第２サービスセルのバインディングウィンドウ内の下りＤＡＩ＝１またはＤＡＩ＝２の下りサブフレームを含み、
場合３−３：ＫｓとＫｐには共同に含まれる下りサブフレーム中において、第２サービスセルのバインディングウィンドウ内の下りＤＡＩ＝１およびＤＡＩ＝２の下りサブフレームを含む。
【００９６】
上記場合３−１、３−２および３−３に対して、その対応する処理方式はそれぞれ以下のとおりであり、
処理方式３−１：ＫｓとＫｐには共同に含まれる下りサブフレーム中において、第２サービスセルのバインディングウィンドウ内の下りＤＡＩ＝１およびＤＡＩ＝２の下りサブフレームが含まないと、ＴＤＤシステムが複数のサービスセルを設定する時のＰＵＣＣＨ  ｆｏｒｍａｔ  １ｂとチャネルセレクションを組み合わせる方式を用いて相応なＨＡＲＱ−ＡＣＫ応答情報をフィードバックし、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、マッピングテーブルにおける相応な下りサブフレームがないＨＡＲＱ−ＡＣＫ応答情報はＤＴＸ状態に設定され、第２サービスセルが対応したＰＵＣＣＨリソースは高層設定とＰＤＣＣＨ動的指示を組み合わせる方式により取得され、
処理方式３−２：ＫｓとＫｐの共通部分が対応した下りサブフレーム中において、第２サービスセルのバインディングウィンドウ内の下りＤＡＩ＝１またはＤＡＩ＝２のうちの一方の下りサブフレームを含むと、ＴＤＤシステムが複数のサービスセルを設定する時のＰＵＣＣＨ  ｆｏｒｍａｔ  １ｂとチャネルセレクションを組み合わせる方式を用いて第２サービスセルＰＤＳＣＨが対応したＨＡＲＱ−ＡＣＫ応答情報をフィードバックし、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、前記マッピングテーブルにおいて対応する下りサブフレームがないＨＡＲＱ−ＡＣＫ応答情報はＤＴＸ状態に設定され、第２サービスセルがクロスキャリアススケジューリングを用いる時、第２サービスセルが対応したそのうちの一方の
【００９７】
0005891336.tif 000026
【００９８】
処理方式３−３：ＫｓとＫｐの共通部分が対応した下りサブフレーム中において、第２サービスセルのバインディングウィンドウ内の下りＤＡＩ＝１およびＤＡＩ＝２の下りサブフレームを含むと、ＴＤＤシステムが複数のサービスセルを設定する時のＰＵＣＣＨ  ｆｏｒｍａｔ  １ｂとチャネルセレクションを組み合わせる方式を用いて第２サービスセルＰＤＳＣＨが対応したＨＡＲＱ−ＡＣＫ応答情報をフィードバックし、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、前記マッピングテーブルにおいて対応する下りサブフレームがない
【００９９】
0005891336.tif 000027
【０１００】
好ましくは、第２類シーンアグリゲーションに対して、すべての可能なアグリゲーション場合を分析することにより、候補方案３の参照上り下りサブフレーム設定のタイミング関係を用いると、その参照上り下り設定はいずれも第２サービスセル自体であり、したがって、この場合で、第２類シーンアグリゲーションが候補方案２を用いることにも相当する。
【０１０１】
第３類シーンアグリゲーションに対して、候補方案１および候補方案２を用いる時、その処理方式は第２類シーンアグリゲーションが候補方案１および候補方案２を用いることと同じ、ここで繰り返して説明しない。
【０１０２】
第３類シーンアグリゲーションに対して、候補方案３を用いる時、第２サービスセルのＰＤＳＣＨとＨＡＲＱ−ＡＣＫ応答情報のタイミング関係を確定した後、後続に関連のＰＵＣＣＨリソースを確定する時、ある指定された上りサブフレームが対応した第２サービスセルの下りサブフレーム集合と該上りサブフレームが対応したプライマリーサービスセルの下りサブフレームセットの間の関係は、第２類シーンアグリゲーションに用いられる候補方案２に出現する３種の場合と完全に同じであり、従って、その処理方式は前記第２類シーンアグリゲーションが候補方案２を用いる処理方式を参照することができ、ここで繰り返して説明しない。
【０１０３】
以下、図面を参照しながら本発明の実施例を詳細に説明する。ただし、衝突がない場合、本願における実施例および実施例における特徴は互いに任意に組み合せることができる。 
【０１０４】
具体的な実施例１
本実施例は第１類シーンアグリゲーションが候補方案１を用いることに関し、図３に示すように、上り下り設定＃１を用いるサービスセルと上り下り設定＃０を用いるサービスセルをアグリゲーションし、かつ上り下り設定＃１を用いるサービスセルはプライマリーサービスセルとして設定され、上り下り設定＃０を用いるサービスセルは第２サービスセルである。
【０１０５】
第２サービスセルの各下りサブフレーム上でのＰＤＳＣＨと相応なＨＡＲＱ−ＡＣＫのタイミング関係に対して、プライマリーサービスセル（つまり設定１）のＰＤＳＣＨとＨＡＲＱ−ＡＣＫのタイミング関係を用いる。
【０１０６】
図３に示すようなタイミング関係に基づいて、ＵＥは上りサブフレーム＃７上にプライマリーサービスセル下りサブフレーム＃０および＃１のＨＡＲＱ−ＡＣＫ応答情報および第２下りサービスセル下りサブフレーム＃０および＃１のＨＡＲＱ−ＡＣＫ応答情報をフィードバックする。従来のプロトコル規定に基づき、下りコントロール情報が従来のＰＤＣＣＨ領域に送信される時、上りサブフレーム＃７上での動的ＰＵＣＣＨ領域中において下りサブフレーム＃０および＃１のＰＤＣＣＨが対応したＰＵＣＣＨリソースが予め残されており、したがって、この場合、第２サービスセルがクロスキャリアススケジューリングを用いる時、第２サービスセルのＰＵＣＣＨリソースはいずれもＰＤＣＣＨとの暗黙的マッピングの方式により取得されることができる。第２サービスセル内においてクロスキャリアススケジューリングを用いることがある時、第２サービスセルが対応したＰＵＣＣＨリソースは高層設定と動的指示シグナリングを組み合わせる方式により確定されてもよい。または、第２サービスセルがクロスキャリアススケジューリングに設定されるかどうかにもかかわらず、第２サービスセルが対応したＰＵＣＣＨリソースは高層設定と動的指示シグナリングを組み合わせる方式により確定されてもよい。
【０１０７】
具体的な実施例２
本実施例は第２類シーンアグリゲーションが候補方案１を用いることに関し、図５に示すように、上り下り設定＃０を用いるサービスセルと上り下り設定＃１を用いるサービスセルをアグリゲーションし、かつ上り下り設定＃０を用いるサービスセルはプライマリーサービスセルとして設定され、上り下り設定＃１を用いるサービスセルは第２サービスセルである。
【０１０８】
第２サービスセルがプライマリーサービスセルと同じタイミング関係を用いるため、この場合、クロスサブフレームスケジューリングをバックアップしない時、第２サービスセルは実際に下りサブフレーム＃０および＃１のみがスケジューリングされ、下りサブフレーム＃４がスケジューリングされない。
【０１０９】
図５に示すタイミング関係に基づいて、ＵＥは上りサブフレーム＃４およびサブフレーム＃７上にそれぞれプライマリー／第２サービスセル下りサブフレーム＃０および＃１のＨＡＲＱ−ＡＣＫ応答情報をフィードバックする。従来のプロトコル規定に基づき、上りサブフレーム＃４および＃７上での動的ＰＵＣＣＨ領域中においてそれぞれ下りサブフレーム＃０および＃１のＰＤＣＣＨが対応したＰＵＣＣＨリソースが予め残されており、したがって、この場合、第２サービスセルがクロスキャリアススケジューリングを用いる時、第２サービスセルのＰＵＣＣＨリソースはいずれもＰＤＣＣＨとの暗黙的マッピングの方式により取得されることができ、第２サービスセル内においてクロスキャリアススケジューリングを用いることがある時、第２サービスセルが対応したＰＵＣＣＨリソースは高層設定と動的指示シグナリングを組み合わせる方式により確定されてもよく、または、第２サービスセルがクロスキャリアススケジューリングに設定されるかどうかにもかかわらず、第２サービスセルが対応したＰＵＣＣＨリソースは高層設定と動的指示シグナリングを組み合わせる方式により確定されてもよい。
【０１１０】
具体的な実施例３
具体的な実施例３−１−１
本実施例は第２類シーンアグリゲーションが候補方案２を用いることに関し、図６に示すように、上り下り設定＃０を用いるサービスセルと上り下り設定＃１を用いるサービスセルをアグリゲーションし、かつ上り下り設定＃０を用いるサービスセルはプライマリーサービスセルとして設定され、上り下り設定＃１を用いるサービスセルは第２サービスセルである。
【０１１１】
第２サービスセルが自体のタイミング関係を用いるため、この場合、上りサブフレーム＃８上に第２サービスセル下りサブフレーム＃４のＨＡＲＱ−ＡＣＫ応答情報をフィードバックする必要があり、しかしながら上りサブフレーム＃８はプライマリーサービスセルのタイミング関係に基づき、その上にプライマリーサービスセルのＨＡＲＱ−ＡＣＫ応答情報をフィードバックする必要がなく、すなわち、本発明の場合１に属する。
【０１１２】
本発明の実施例の場合１に対する処理方式１−１に基づいて、ＰＵＣＣＨ  ｆｏｒｍａｔ  １ａ／１ｂを用いて第２サービスセルＰＤＳＣＨが対応したＨＡＲＱ−ＡＣＫ応答情報をフィードバックし、そのうちＨＡＲＱ−ＡＣＫのフィードバックに必要なＰＵＣＣＨリソースは高層設定とＰＤＣＣＨ動的指示を組み合わせる方式により確定され、かつ上りサブフレーム＃８上でのＫｓは１つのみの要素を含むため、つまり第２サービスセル１つのみの下りサブフレームのＨＡＲＱ−ＡＣＫ応答情報をフィードバックする必要がある時、ｆｏｒｍａｔ  １ａ（第２サービスセルに対応して１つのみの伝送ブロックを含む伝送モードに設定され）またはｆｏｒｍａｔ  １ｂ（第２サービスセルに対応して最大限に２つの伝送ブロックをバックアップする伝送モードに設定される）を用いて送信し、
本発明の実施例の場合１に対する処理方式１−２に基づいて、ＴＤＤシステムが複数のサービスセルを設定する時のＰＵＣＣＨ  ｆｏｒｍａｔ  １ｂとチャネルセレクションを組み合わせる方式を用いて相応なＨＡＲＱ−ＡＣＫ応答情報をフィードバックし、そのうち、ＰＵＣＣＨ  ｆｏｒｍａｔ  １ｂに基づくチャネルセレクション時使用するマッピングテーブルはＫｓの大きさに基づいて確定され、ここでは、対応するのはＭ＝１の場合であり、第２サービスセルが１つのみの伝送ブロックを含む伝送モードに設定される時、Ａ＝２のマッピングテーブルを用い、第２サービスセルが２つの伝送ブロックをバックアップする伝送モードに設定される時、Ａ＝３のマッピングテーブルを用い、そのうち、マッピングテーブルにおけるプライマリーサービスセルのＨＡＲＱ−ＡＣＫ応答情報はＤＴＸ状態に設定され、第２サービスセルが対応したＰＵＣＣＨリソースは高層設定と動的指示シグナリングを組み合わせる方式により取得される。
【０１１３】
本発明の実施例の場合１に対する処理方式１−３に基づいて、ＴＤＤシステムがシングルサービスセルを設定する時のＰＵＣＣＨ  ｆｏｒｍａｔ  １ｂとチャネルセレクションを組み合わせる方式を用いて相応なＨＡＲＱ−ＡＣＫ応答情報をフィードバックし、該実施例中において、Ｋｓが１つのみの要素を含むため、その処理は処理方式１−１と同じ、ここで繰り返して説明しない。
【０１１４】
具体的な実施例３−１−２
本実施例は第２類シーンアグリゲーションが候補方案２を用いることに関し、図７に示すように、上り下り設定＃０を用いるサービスセルと上り下り設定＃３を用いるサービスセルをアグリゲーションし、かつ上り下り設定＃０を用いるサービスセルはプライマリーサービスセルとして設定され、上り下り設定＃３を用いるサービスセルは第２サービスセルである。
【０１１５】
第２サービスセルが自体のタイミング関係を用いるため、この場合、上りサブフレーム＃３上に第２サービスセル上での１つの無線フレームの下りサブフレーム＃７および＃８のＨＡＲＱ−ＡＣＫ応答情報をフィードバックする必要があり、しかしながら上りサブフレーム＃３はプライマリーサービスセルのタイミング関係に基づき、その上にプライマリーサービスセルのＨＡＲＱ−ＡＣＫ応答情報をフィードバックする必要がなく、すなわち、本発明の場合１に属する。
【０１１６】
本発明の実施例の場合１に対する処理方式１−１に基づいて、ＰＵＣＣＨ  ｆｏｒｍａｔ  １ｂを用いて第２サービスセルＰＤＳＣＨが対応したＨＡＲＱ−ＡＣＫ応答情報をフィードバックし、そのうちＨＡＲＱ−ＡＣＫのフィードバックに必要なＰＵＣＣＨリソースは高層設定とＰＤＣＣＨ動的指示を組み合わせる方式により確定され、かつ上りサブフレーム＃３上でのＫｓが２つの要素を含むため、つまり該上りサブフレームは第２サービスセルの２つの下りサブフレームのＨＡＲＱ−ＡＣＫ応答情報をフィードバックする必要があり、前記第２サービスセルの下りサブフレーム＃７および＃８のＨＡＲＱ−ＡＣＫ応答情報を空間バインディング（すなわち空間ロジックおよび操作）し、前記２つの下りサブフレームが対応した２ビットＨＡＲＱ−ＡＣＫ応答情報を取得し、ｆｏｒｍａｔ  １ｂを用いて前記２ビットＨＡＲＱ−ＡＣＫ情報を送信し、
本発明の実施例の場合１に対する処理方式１−２に基づいて、ＴＤＤシステムが複数のサービスセルを設定する時のＰＵＣＣＨ  ｆｏｒｍａｔ  １ｂとチャネルセレクションを組み合わせる方式を用いて相応なＨＡＲＱ−ＡＣＫ応答情報をフィードバックし、そのうち、ＰＵＣＣＨ  ｆｏｒｍａｔ  １ｂに基づくチャネルセレクション時使用するマッピングテーブルはＫｓの大きさに基づいて確定され、ここでは、対応するのはＭ＝２、Ａ＝４の場合であり、マッピングテーブルにおけるプライマリーサービスセルのＨＡＲＱ−ＡＣＫ応答情報はＤＴＸ状態に設定され、第２サービスセルが対応した２つのＰＵＣＣＨリソースは高層設定と動的指示シグナリングを組み合わせる方式により取得される。
【０１１７】
本発明の実施例の場合１に対する処理方式１−３に基づいて、ＴＤＤシステムがシングルサービスセルを設定する時のＰＵＣＣＨ  ｆｏｒｍａｔ  １ｂとチャネルセレクションを組み合わせる方式を用いて相応なＨＡＲＱ−ＡＣＫ応答情報をフィードバックし、ここでＭ＝２の場合に対応して、第２サービスセルの各下りサブフレームが対応したＰＵＣＣＨリソースは高層設定に基づく動的シグナリング指示の方式により取得される。
【０１１８】
実施例３−１−３
本実施例は第２類シーンアグリゲーションが候補方案２を用いることに関し、図８に示すように、上り下り設定＃０を用いるサービスセルと上り下り設定＃４を用いるサービスセルをアグリゲーションし、かつ上り下り設定＃０を用いるサービスセルはプライマリーサービスセルとして設定され、上り下り設定＃４を用いるサービスセルは第２サービスセルである。
【０１１９】
第２サービスセルが自体のタイミング関係を用いるため、この場合、上りサブフレーム＃３上に第２サービスセル上での１つの無線フレームの下りサブフレーム＃６、＃７、＃８および＃９のＨＡＲＱ−ＡＣＫ応答情報をフィードバックする必要があり、しかしながら上りサブフレーム＃３はプライマリーサービスセルのタイミング関係に基づき、その上にプライマリーサービスセルのＨＡＲＱ−ＡＣＫ応答情報をフィードバックする必要がなく、すなわち、本発明の場合１に属する。
【０１２０】
本発明の実施例の場合１に対する処理方式１−１に基づいて、人々はＰＵＣＣＨ  ｆｏｒｍａｔ  １ｂを用いて第２サービスセルＰＤＳＣＨが対応したＨＡＲＱ−ＡＣＫ応答情報をフィードバックし、そのうちＨＡＲＱ−ＡＣＫのフィードバックに必要なＰＵＣＣＨリソースは高層設定とＰＤＣＣＨ動的指示を組み合わせる方式により確定され、かつ上りサブフレーム＃３上でのＫｓが４つの要素を含むため、つまり該上りサブフレームは第２サービスセルの４つの下りサブフレームのＨＡＲＱ−ＡＣＫ応答情報をフィードバックする必要があり、前記第２サービスセルの４つの下りサブフレームのＨＡＲＱ−ＡＣＫ応答情報を空間バインディング（すなわち空間ロジックおよび操作）し、さらに時間領域バインディング操作を行い、２ビット情報ｂ（０）ｂ（１）を取得し、次にｆｏｒｍａｔ  １ｂを用いて前記２ビット情報ｂ（０）ｂ（１）を送信する。
【０１２１】
そのうち、前記の時間領域バインディング操作を行って２ビット情報ｂ（０）ｂ（１）を取得することは表１２に示すマッピング方式を用いて確定されてもよい。
【０１２２】
【表１２】
0005891336.tif 000028
【０１２３】
または、空間バインディングされた後の複数のＨＡＲＱ−ＡＣＫ応答情報をＰＤＣＣＨにおけるＤＬ  ＤＡＩの大きさ秩序に基づいてソートし、ｂ（０）ｂ（１）は前記ソートされた後のＨＡＲＱ−ＡＣＫ応答情報中において連続フィードバックしたＡＣＫの個数を表すという方式を用いて確定され、具体的には下記の表１３に示すように、
【０１２４】
【表１３】
0005891336.tif 000029
【０１２５】
また、２つのマッピング関係の具体的な達成方式を提供し、本発明はその他のマッピング方式を排除しない。
【０１２６】
本発明の実施例の場合１に対する処理方式１−２に基づいて、ＴＤＤシステムが複数のサービスセルを設定する時のＰＵＣＣＨ  ｆｏｒｍａｔ  １ｂとチャネルセレクションを組み合わせる方式を用いて相応なＨＡＲＱ−ＡＣＫ応答情報をフィードバックし、そのうち、ＰＵＣＣＨ  ｆｏｒｍａｔ  １ｂに基づくチャネルセレクション時使用するマッピングテーブルはＫｓの大きさに基づいて確定され、ここでは、対応するのはＭ＝４の場合であり、マッピングテーブルにおけるプライマリーサービスセルのＨＡＲＱ−ＡＣＫ応答情報はＤＴＸ状態に設定され、第２サービスセルが対応した２つのＰＵＣＣＨリソースは高層設定と動的指示シグナリングを組み合わせる方式により取得される。
【０１２７】
本発明の実施例の場合１に対する処理方式１−３に基づいて、ＴＤＤシステムがシングルサービスセルを設定する時のＰＵＣＣＨ  ｆｏｒｍａｔ  １ｂとチャネルセレクションを組み合わせる方式を用いて相応なＨＡＲＱ−ＡＣＫ応答情報をフィードバックし、ここでは、対応するのはＭ＝４の場合であり、第２サービスセルの各下りサブフレームが対応したＰＵＣＣＨリソースは高層設定に基づく動的シグナリング指示の方式により取得される。
【０１２８】
実施例３−２
本実施例は第２類シーンアグリゲーションが候補方案２を用いることに関し、図９に示すように、上り下り設定＃６を用いるサービスセルと上り下り設定＃３を用いるサービスセルをアグリゲーションし、かつ上り下り設定＃６を用いるサービスセルはプライマリーサービスセルとして設定され、上り下り設定＃３を用いるサービスセルは第２サービスセルである。
【０１２９】
第２サービスセルが自体のタイミング関係を用いるため、この場合、上りサブフレーム＃３上にプライマリーサービスセル上での１つの無線フレーム下りサブフレーム＃６のＨＡＲＱ−ＡＣＫ応答情報および第２サービスセル上での１つの無線フレームの下りサブフレーム
【０１３０】
0005891336.tif 000030
【０１３１】
本発明の実施例の場合２に対する処理方式に基づいて、末端はＴＤＤシステムが複数のサービスセルを設定する時のＰＵＣＣＨ  ｆｏｒｍａｔ  １ｂとチャネルセレクションを組み合わせる方式を用いて相応なＨＡＲＱ−ＡＣＫ応答情報をフィードバックし、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、つまりＭ＝２が対応したマッピングフォームを用いて、マッピングテーブルにおける（プライマリーサービスセル）相応する下りサブフレームがないＨＡＲＱ−ＡＣＫ応答情報はＤＴＸ状態に設定され、第２サービスセルが対応した２つのＰＵＣＣＨリソースは高層設定と動的指示シグナリングを組み合わせる方式により取得される。
【０１３２】
実施例３−３−１
本実施例は第２類シーンアグリゲーションが候補方案２を用いることに関し、図１０に示すように、上り下り設定＃０を用いるサービスセルと上り下り設定＃１を用いるサービスセルをアグリゲーションし、かつ上り下り設定＃０を用いるサービスセルはプライマリーサービスセルとして設定され、上り下り設定＃１を用いるサービスセルは第２サービスセルである。
【０１３３】
第２サービスセルが自体のタイミング関係を用いるため、この場合、上りサブフレーム＃３上にプライマリーサービスセル上での１つの無線フレーム下りサブフレーム＃６のＨＡＲＱ−ＡＣＫ応答情報および第２サービスセル上での１つの無線フレームの下りサブフレーム＃４、＃５、＃６および＃８のＨＡＲＱ−ＡＣＫ応答情報をフィードバックする必要がある。
【０１３４】
プライマリー第２サービスセルの下りサブフレーム集合中に共通の下りサブフレーム＃６を有し、しかしながら下りサブフレーム＃６は第２サービスセルの上りサブフレーム＃３に対応したバインディングウィンドウ中に対応した下りＤＡＩ値が３（ここで、第２サービスセルの下りサブフレーム＃４および＃５が同時にスケジューリングされると仮設する）であり、この場合は本発明の場合３−１に属し、つまりＫｓおよびＫｐに共同に含む下りサブフレーム＃６は第２サービスセルのバインディングウィンドウ内のＤＡＩ＝１またはＤＡＩ＝２の下りサブフレームではない。この時、末端はＴＤＤシステムが複数のサービスセルを設定する時のＰＵＣＣＨ  ｆｏｒｍａｔ  １ｂとチャネルセレクションを組み合わせる方式を用いて相応なＨＡＲＱ−ＡＣＫ応答情報をフィードバックし、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、つまりＭ＝４であり、マッピングテーブルにおける（プライマリーサービスセル）対応する下りサブフレームがないＨＡＲＱ−ＡＣＫ応答情報はＤＴＸ状態に設定され、第２サービスセルが対応した２つのＰＵＣＣＨリソースは高層設定と動的指示シグナリングを組み合わせる方式により取得される。
【０１３５】
実施例３−３−２
本実施例に関わるシーンは基本的に実施例３−３−１と同じ、異なるところは、第２補助サービスセルの下りサブフレーム＃４および／または＃５がスケジューリングされず、下りサブフレーム＃６がスケジューリングされ、下りサブフレーム＃６は第２サービスセルの上りサブフレーム＃３に対応したバインディングウィンドウ中に対応した下りＤＡＩ値が１または２であり、この場合は本発明の場合３−２に属し、つまりＫｓおよびＫｐに共同に含む下りサブフレーム＃６は第２サービスセルのバインディングウィンドウ内のＤＡＩ＝１または２の下りサブフレームであり、この時、上りサブフレーム＃３上での動的ＰＵＣＣＨ領域において下りサブフレーム＃６のＰＤＣＣＨに対応したＰＵＣＣＨリソースが予め残されており、従って、第２サービスセルがクロスキャリアススケジューリングを用いる時、第２サービスセルが対応したそのうちの一方の
【０１３６】
0005891336.tif 000031
【０１３７】
また、マッピングテーブルの確定および第２サービスセルが下りサブフレームのＨＡＲＱ−ＡＣＫ応答情報を受信していない処理方式は実施例３−３−１と同じ、ここで繰り返して説明しない。
【０１３８】
実施例３−３−３
本実施例は第２類シーンアグリゲーションが候補方案２を用いることに関し、図１１に示すように、上り下り設定＃１を用いるサービスセルおよび上り下り設定＃２を用いるサービスセルをアグリゲーションし、かつ上り下り設定＃１を用いるサービスセルはプライマリーサービスセルとして設定され、上り下り設定＃２を用いるサービスセルは第２サービスセルである。第２サービスセルが自体のタイミング関係を用いるため、この場合、上りサブフレーム＃３上にプライマリーサービスセル上での１つの無線フレーム下りサブフレーム＃５／６のＨＡＲＱ−ＡＣＫ応答情報および第２サービスセル上での１つの無線フレームの下りサブフレーム＃４、＃５、＃６および＃８のＨＡＲＱ−ＡＣＫ応答情報をフィードバックする必要がある。
【０１３９】
プライマリー第２サービスセルの下りサブフレーム集合中に共通の下りサブフレーム＃５および＃６を有し、しかしながら下りサブフレーム＃５および＃６は第２サービスセルの上りサブフレーム＃３に対応したバインディングウィンドウ中に対応した下りＤＡＩ値がそれぞれ２および３（ここで、第２サービスセルの下りサブフレーム＃４および＃５が同時にスケジューリングされると仮設する）であり、この場合は本発明の場合３−２に属し、つまりＫｓおよびＫｐに共同に含む下りサブフレーム＃５は第２サービスセルのバインディングウィンドウ内のＤＡＩ＝１の下りサブフレームである。この時、上りサブフレーム＃３上での動的ＰＵＣＣＨ領域において下りサブフレーム＃５のＰＤＣＣＨに対応したＰＵＣＣＨリソースが予め残されており、従って、第２サービスセルのそのうちの一方のＰＵＣＣＨリソースはＰＤＣＣＨとの暗黙的マッピングの方式を用いて取得されてもよく、他方のＰＵＣＣＨリソースは高層設定と動的指示シグナリングを組み合わせる方式により取得される。
【０１４０】
第２補助サービスセルの下りサブフレーム＃４がスケジューリングされず、下りサブフレーム＃５および＃６がいずれもスケジューリングされたと仮設すると、下りサブフレーム＃５および＃６は第２サービスセルの上りサブフレーム＃３に対応したバインディングウィンドウ中に対応した下りＤＡＩ値が１および２であり、この場合は本発明の場合３−３に属し、つまりＫｓおよびＫｐに共同に含む下りサブフレーム＃６は第２サービスセルのバインディングウィンドウ内のＤＡＩ＝１および２の下りサブフレームである。この時、上りサブフレーム＃３上での動的ＰＵＣＣＨ領域において下りサブフレーム＃５および＃６のＰＤＣＣＨに対応したＰＵＣＣＨリソースが予め残されており、従って、第２サービスセルがクロスキャリアススケジューリングを用いる時、第２サービスセルのそのうち２つのＰＵＣＣＨリソースは、第２サービスセルがクロスキャリアススケジューリングを用いる時、第２サービスセルが対応した２つのＰＵＣＣＨリソース
【０１４１】
0005891336.tif 000032
【０１４２】
この他、本発明の実施例はハイブリッド自動再送要求確認応答情報送信装置をさらに提供しており、図１３に示すように、前記装置は主に、
上りサブフレームが対応したフィードバックウィンドウ内のアグリゲーションされたサービスセルの下りサブフレームセットの間の関係に基づいて、サービスセルのＨＡＲＱ−ＡＣＫ応答情報の送信方式およびＨＡＲＱ−ＡＣＫ応答情報を送信する時使用するＰＵＣＣＨリソースを確定するように設置される送信方式およびリソース確定モジュール１３０、
確定された前記ＰＵＣＣＨリソース上に、確定された前記ＨＡＲＱ−ＡＣＫ応答情報送信方式を用いて、サービスセルＰＤＳＣＨまたはＳＰＳ  ｒｅｌｅａｓｅ  ＰＤＣＣＨが対応したＨＡＲＱ−ＡＣＫ応答情報を送信するように設置される応答情報送信モジュール１３１を含む。
【０１４３】
好ましくは、前記装置は、タイミング関係確定モジュール１３２をさらに含み、
前記タイミング関係確定モジュール１３２は、
前記第２サービスセルの上り下り設定での下りサブフレーム集合がプライマリーサービスセルの上り下り設定下での下りサブフレーム集合のサブセットである時、前記第２サービスセルのＰＤＳＣＨとＨＡＲＱ−ＡＣＫ応答情報のタイミング関係はプライマリーサービスセルが対応したＰＤＳＣＨとＨＡＲＱ−ＡＣＫ応答情報のタイミング関係に従い、
前記第２サービスセルの上り下り設定での下りサブフレーム集合がプライマリーサービスセルの上り下り設定での下りサブフレーム集合のサブセットではない時、前記第２サービスセルのＰＤＳＣＨとＨＡＲＱ−ＡＣＫ応答情報のタイミング関係は前記プライマリーサービスセルが対応したＰＤＳＣＨとＨＡＲＱ−ＡＣＫ応答情報のタイミング関係に従い、または前記第２サービスセルが対応したＰＤＳＣＨとＨＡＲＱ−ＡＣＫ応答情報のタイミング関係に従い、または参照上り下り設定Ｘが対応したＰＤＳＣＨとＨＡＲＱタイミング関係に従い、そのうち、前記参照上り下り設定Ｘは、該上り下り設定での上りサブフレーム集合がプライマリーサービスセルの上り下り設定での上りサブフレーム集合のサブセットでもあり、第２サービスセルの上り下り設定での上りサブフレーム集合のサブセットでもあるという条件を満たす上り下り設定のうち、下りサブフレーム集合が最小である上り下り設定であるという方式で、第２サービスセルのＰＤＳＣＨとＨＡＲＱ−ＡＣＫ応答情報のタイミング関係を確定するように設置される。
【０１４４】
好ましくは、前記送信方式およびリソース確定モジュール１３０は、前記タイミング関係確定モジュールが確定した前記第２サービスセルのＰＤＳＣＨとＨＡＲＱ−ＡＣＫ応答情報のタイミング関係に基づいて、上りサブフレームが対応したフィードバックウィンドウ内のアグリゲーションされたサービスセルの下りサブフレームセットを確定するように設置される。
【０１４５】
好ましくは、前記送信方式およびリソース確定モジュール１３０は、前記上りサブフレームが対応した第２サービスセルの下りサブフレームセットが空集合ではなく、前記上りサブフレームが対応したプライマリーサービスセルの下りサブフレームセットが空集合である時、
ＰＵＣＣＨ  ｆｏｒｍａｔ  １ａまたはＰＵＣＣＨ  ｆｏｒｍａｔ  １ｂの方式を用いて第２サービスセルＰＤＳＣＨが対応したＨＡＲＱ−ＡＣＫ応答情報を送信し、そのうちＨＡＲＱ−ＡＣＫ応答情報の送信に必要なＰＵＣＣＨリソースは高層設定と動的指示シグナリングを組み合わせる方式により確定され、またはＨＡＲＱ−ＡＣＫ応答情報の送信に必要なＰＵＣＣＨリソースは高層設定の方式のみにより確定され、
または、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信し、そのうち、ＰＵＣＣＨ  ｆｏｒｍａｔ  １ｂに基づくチャネルセレクション時使用するマッピングテーブルは、前記上りサブフレームが対応した第２サービスセルの下りサブフレームセット（Ｋｓ）の大きさに基づいて確定され、前記マッピングテーブルにおけるプライマリーサービスセルのＨＡＲＱ−ＡＣＫ応答情報は、不連続送信（ＤＴＸ）状態に設定され、前記第２サービスセルが対応したＰＵＣＣＨリソースは高層設定と動的指示シグナリングを組み合わせる方式により確定され、
または、ＴＤＤシステムが単一のサービスセルを設定する時のＰＵＣＣＨ  ｆｏｒｍａｔ  １ｂとチャネルセレクションを組み合わせる方式を用いて、第２サービスセルＰＤＳＣＨが対応したＨＡＲＱ−ＡＣＫ応答情報を送信し、そのうち、ＰＵＣＣＨ  ｆｏｒｍａｔ  １ｂに基づくチャネルセレクション時使用するマッピングテーブルは、前記上りサブフレームが対応した第２サービスセルの下りサブフレームセット（Ｋｓ）の大きさに基づいて確定され、前記第２サービスセル上りサブフレームが対応した下りサブフレームは対応したＰＵＣＣＨリソースは高層設定と動的指示シグナリングを組み合わせる方式により確定されるように設置される。
【０１４６】
好ましくは、前記送信方式およびリソース確定モジュール１３０は、前記上りサブフレームが対応した第２サービスセルの下りサブフレームセット（Ｋｓ）の大きさに基づいてＨＡＲＱ−ＡＣＫ応答情報の送信方式を確定するように設置され、
Ｋｓに含まれる要素が１つまたは２つである時、ＰＵＣＣＨ  ｆｏｒｍａｔ  １ａまたはＰＵＣＣＨ  ｆｏｒｍａｔ  １ｂの方式を用いて前記第２サービスセルＰＤＳＣＨが対応したＨＡＲＱ−ＡＣＫ応答情報を送信し、Ｋｓに含まれる要素が２つを超える時、ＴＤＤシステムが複数のサービスセルまたは単一のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信し、
または、Ｋｓに含まれる要素が１つである時、ＰＵＣＣＨ  ｆｏｒｍａｔ  １ａまたはＰＵＣＣＨ  ｆｏｒｍａｔ  １ｂの方式を用いて前記第２サービスセルＰＤＳＣＨが対応したＨＡＲＱ−ＡＣＫ応答情報を送信し、Ｋｓに含まれる要素が１つを超える時、ＴＤＤシステムが複数のサービスセルまたは単一のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信する。
【０１４７】
好ましくは、前記送信方式およびリソース確定モジュール１３０は、ＰＵＣＣＨ  ｆｏｒｍａｔ  １ａまたはＰＵＣＣＨ  ｆｏｒｍａｔ  １ｂの方式を用いて第２サービスセルＰＤＳＣＨが対応したＨＡＲＱ−ＡＣＫ応答情報を送信することを確定すると、
Ｋｓが１つのみの要素を含む時、すなわち前記上りサブフレームが第２サービスセルの１つの下りサブフレームのＰＤＳＣＨが対応したＨＡＲＱ−ＡＣＫ応答情報をフィードバックする必要がある時、第２サービスセルが１つの伝送ブロックの伝送モードのみを含むように設定されると、ＰＵＣＣＨ  ｆｏｒｍａｔ  １ａの方式を用いて前記第２サービスセルＰＤＳＣＨが対応したＨＡＲＱ−ＡＣＫ応答情報を送信し、第２サービスセルが最大限に２つの伝送ブロックの伝送モードをバックアップするように設定されると、ＰＵＣＣＨ  ｆｏｒｍａｔ  １ｂの方式を用いて前記第２サービスセルＰＤＳＣＨが対応したＨＡＲＱ−ＡＣＫ応答情報を送信し、
Ｋｓに含まれる要素が２つである時、すなわち前記上りサブフレームは第２サービスセルの２つの下りサブフレームのＨＡＲＱ−ＡＣＫ応答情報をフィードバックする必要がある時、前記２つの下りサブフレームのＨＡＲＱ−ＡＣＫ応答情報を空間バインディングした後、前記２つの下りサブフレームが対応した２ビットＨＡＲＱ−ＡＣＫ応答情報を取得し、ＰＵＣＣＨ  ｆｏｒｍａｔ  １ｂを用いて前記２ビットＨＡＲＱ−ＡＣＫ応答情報を送信し、
Ｋｓに含まれる要素が２つを超える時、すなわち前記上りサブフレームがフィードバックする必要がある第２サービスセル下りサブフレームのＨＡＲＱ−ＡＣＫ応答情報は２つを超える時、前記複数の下りサブフレームのＨＡＲＱ−ＡＣＫ応答情報を空間バインディングした後、さらに時間領域バインディング操作を行い、２ビットＨＡＲＱ−ＡＣＫ応答情報を取得した後、ＰＵＣＣＨ  ｆｏｒｍａｔ  １ｂを用いて前記２ビットＨＡＲＱ−ＡＣＫ応答情報を送信するように設置される。
【０１４８】
好ましくは、前記送信方式およびリソース確定モジュール１３０は、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信することを確定すると、
Ｋｓが１つのみの要素を含む時、すなわち前記上りサブフレームは第２サービスセルの１つの下りサブフレームのＨＡＲＱ−ＡＣＫ応答情報をフィードバックする必要がある時、第２サービスセルが１つの伝送ブロックの伝送モードのみを含むように設定されると、ＴＤＤシステムキャリアがアグリゲーションする時Ａ＝２のチャネルを用いてマッピングテーブルを選択し、プライマリーサービスセルが対応したＨＡＲＱ−ＡＣＫ応答情報はＤＴＸに設定され、第２サービスセルが対応した１つのＰＵＣＣＨリソースは高層設定と動的指示シグナリングを組み合わせる方式により取得され、第２サービスセルが２つの伝送ブロックの伝送モードをバックアップするように設定されると、ＴＤＤシステムキャリアがアグリゲーションする時Ａ＝３のチャネルを用いてマッピングテーブルを選択し、プライマリーサービスセルが対応したＨＡＲＱ−ＡＣＫ応答情報はＤＴＸに設定され、第２サービスセルが対応した２つのＰＵＣＣＨリソースは高層設定と動的指示シグナリングを組み合わせる方式により確定され、
Ｋｓに含まれる要素が２つである時、すなわち前記上りサブフレームは第２サービスセルの２つの下りサブフレームのＨＡＲＱ−ＡＣＫ応答情報をフィードバックする必要がある時、前記２つの下りサブフレームのＨＡＲＱ−ＡＣＫ応答情報を空間バインディングした後、前記２つの下りサブフレームが対応した２ビットＨＡＲＱ−ＡＣＫ応答情報を取得し、ＴＤＤシステムキャリアがアグリゲーションする時Ａ＝４のチャネルを用いてマッピングテーブルを選択し、プライマリーサービスセルが対応したＨＡＲＱ−ＡＣＫ応答情報はＤＴＸに設定され、第２サービスセルが対応した２つのＰＵＣＣＨリソースは高層設定と動的指示シグナリングを組み合わせる方式により確定され、
Ｋｓに含まれる要素が２つを超える時、すなわち前記上りサブフレームがフィードバックする必要がある第２サービスセル下りサブフレームのＨＡＲＱ−ＡＣＫ応答情報は２つを超える時、前記複数の下りサブフレームのＨＡＲＱ−ＡＣＫ応答情報を空間バインディングした後、さらに時間領域バインディング操作を行い、２ビットＨＡＲＱ−ＡＣＫ応答情報を取得した後、ＰＵＣＣＨ  ｆｏｒｍａｔ  １ｂを用いて前記２ビットＨＡＲＱ−ＡＣＫ応答情報を送信し、ＴＤＤシステムキャリアがアグリゲーションする時Ｍ＝３またはＭ＝４（ＭはＫｓの大きさである）のチャネルを用いてマッピングテーブルを選択し、プライマリーサービスセルが対応したＨＡＲＱ−ＡＣＫ応答情報はＤＴＸに設定され、第２サービスセルが対応した２つのＰＵＣＣＨリソースは高層設定と動的指示シグナリングを組み合わせる方式により確定されるように設置される。
【０１４９】
好ましくは、前記送信方式およびリソース確定モジュール１３０は、ＴＤＤシステムが単一のサービスセルを設定する時のＰＵＣＣＨ  ｆｏｒｍａｔ  １ｂとチャネルセレクションを組み合わせる方式を用いて、第２サービスセルＰＤＳＣＨが対応したＨＡＲＱ−ＡＣＫ応答情報を送信することを確定すると、
Ｋｓが１つのみの要素を含む時、すなわち前記上りサブフレームは第２サービスセルの１つの下りサブフレームのＨＡＲＱ−ＡＣＫ応答情報をフィードバックする必要がある時、第２サービスセルが１つの伝送ブロックの伝送モードのみを含むように設定されると、ＰＵＣＣＨ  ｆｏｒｍａｔ  １ａの方式を用いて前記第２サービスセルＰＤＳＣＨが対応したＨＡＲＱ−ＡＣＫ応答情報を送信し、第２サービスセルが最大限に２つの伝送ブロックの伝送モードをバックアップするように設定されると、ＰＵＣＣＨ  ｆｏｒｍａｔ  １ｂの方式を用いて前記第２サービスセルＰＤＳＣＨが対応したＨＡＲＱ−ＡＣＫ応答情報を送信し、かつ前記ＨＡＲＱ−ＡＣＫ応答情報を送信する時対応するＰＵＣＣＨリソースは高層設定と動的指示シグナリングを組み合わせる方式により確定され、
Ｋｓに含まれる要素が１つを超える時、すなわち前記上りサブフレームは第２サービスセルの１つを超える下りサブフレームのＨＡＲＱ−ＡＣＫ応答情報をフィードバックする必要がある時、前記下りサブフレームのＨＡＲＱ−ＡＣＫ応答情報を空間バインディングした後、前記下りサブフレームが対応したＭ（ＭはＫｓの大きさである）ビットＨＡＲＱ−ＡＣＫ応答情報を取得し、ＴＤＤシステムが単一にサービスする時Ｍ＝２またはＭ＝３またはＭ＝４のチャネルを用いてマッピングテーブルを選択し、前記第２サービスセル上りサブフレームが対応した下りサブフレームは対応したＰＵＣＣＨリソースは高層設定と動的指示シグナリングを組み合わせる方式により確定されるように設置される。
【０１５０】
好ましくは、前記送信方式およびリソース確定モジュール１３０は、前記上りサブフレームが対応した第２サービスセルの下りサブフレームセット（Ｋｓ）が空集合ではなく、前記上りサブフレームが対応したプライマリーサービスセルの下りサブフレームセット（Ｋｐ）も空集合ではなく、かつＫｓとＫｐの共通部分が空集合である時、
ＴＤＤシステムが複数のサービスセルを設定する時のＰＵＣＣＨ  ｆｏｒｍａｔ  １ｂとチャネルセレクションを組み合わせる方式を用いてＨＡＲＱ−ＡＣＫ応答情報を送信し、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、マッピングテーブルにおいて対応する下りサブフレームがないＨＡＲＱ−ＡＣＫ応答情報はＤＴＸ状態に設定され、第２サービスセルが対応したＰＵＣＣＨリソースは高層設定と動的指示シグナリングを組み合わせる方式により確定されるように設置される。
【０１５１】
好ましくは、前記送信方式およびリソース確定モジュール１３０は、前記上りサブフレームが対応した第２サービスセルの下りサブフレームセット（Ｋｓ）が空集合ではなく、前記上りサブフレームが対応したプライマリーサービスセルの下りサブフレームセット（Ｋｐ）も空集合ではなく、かつＫｓとＫｐの共通部分が空集合ではない時、
ＫｓとＫｐの共通部分が対応した下りサブフレーム中において、第２サービスセルのフィードバックウィンドウ内の下りＤＡＩ＝１およびＤＡＩ＝２の下りサブフレームを含まないと、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信し、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、前記マッピングテーブルにおいて対応する下りサブフレームがないＨＡＲＱ−ＡＣＫ応答情報はＤＴＸ状態に設定され、第２サービスセルが対応した２つのＰＵＣＣＨリソース
【０１５２】
0005891336.tif 000033
【０１５３】
ＫｓとＫｐの共通部分が対応した下りサブフレーム中において、第２サービスセルのフィードバックウィンドウ内の下りＤＡＩ＝１またはＤＡＩ＝２の１つの下りサブフレームを含むと、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信し、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、前記マッピングテーブルにおいて対応する下りサブフレームがないＨＡＲＱ−ＡＣＫ応答情報はＤＴＸ状態に設定され、かつ、前記第２サービスセルがクロスキャリアススケジューリング
【０１５４】
0005891336.tif 000034
【０１５５】
ＫｓとＫｐの共通部分が対応した下りサブフレーム中において、第２サービスセルのフィードバックウィンドウ内の下りＤＡＩ＝１およびＤＡＩ＝２の下りサブフレームを含むと、ＴＤＤシステムが複数のサービスセルを設定する時のＰＵＣＣＨ  ｆｏｒｍａｔ  １ｂとチャネルセレクションを組み合わせる方式を用いて、サービスセルＰＤＳＣＨが対応したＨＡＲＱ−ＡＣＫ応答情報を送信し、そのうち、ＰＵＣＣＨ  ｆｏｒｍａｔ  １ｂに基づくチャネルセレクション時使用するマッピングテーブルはＫｓとＫｐの集合大きさのうちの大きい方に基づいて確定され、前記マッピングテーブルにおいて対応する下りサブフレームがないＨＡＲＱ−ＡＣＫ応答情報はＤＴＸ状態に設定され、かつ、前記第２サービスセルがクロスキャリアススケジューリングを用い
【０１５６】
0005891336.tif 000035
【０１５７】
好ましくは、前記送信方式およびリソース確定モジュール１３０は、前記上りサブフレームが対応した第２サービスセルの下りサブフレームセット（Ｋｓ）が前記上りサブフレームが対応したプライマリーサービスセルの下りサブフレームセット（Ｋｐ）の１つのサブセットである、またはＫｓがＫｐに等しい時、
前記第２サービスセルがクロスキャリアススケジューリングを用いる時、ＰＵＣＣＨリソースとＰＤＣＣＨのＣＣＥインデックスの暗黙的マッピング関係に基づいて前記第２サービスセルが対応したＰＵＣＣＨリソースを確定し、前記第２サービスセルがクロスキャリアススケジューリングを用いていない時、前記第２サービスセルが対応したＰＵＣＣＨリソースは高層設定と動的指示シグナリングを組み合わせる方式により確定され、
または、前記第２サービスセルがクロスキャリアススケジューリングを用いるかどうかにもかかわらず、前記第２サービスセルが対応したものはいずれも高層設定と動的指示シグナリングを組み合わせる方式により確定されるように設置される。
【０１５８】
前記のように、本発明による上記実施例は、ハイブリッド自動再送要求確認応答情報送信方法および装置を提供する。本発明は、上りサブフレーム上においてフィードバックウィンドウ内サービスセルが対応した下りサブフレームを指定するＨＡＲＱ−ＡＣＫレスポンスをバインディングすることにより、異なる上り下り設定のサービスセルをアグリゲーションする時ＨＡＲＱ−ＡＣＫ応答情報の送信を実現する。ただし、上記装置の実施例中に記述したハイブリッド自動再送要求確認応答情報送信装置は上記方法の実施例に対応し、その具体的な達成過程は方法の実施例中において詳細に説明したので、ここで繰り返して説明しない。
【０１５９】
以上は本発明の好ましい実施例に過ぎず、本発明を制限するものではなく、本発明は更に他の複数の種の実施例を有してもよく、本発明の趣旨とその実質を逸脱しない場合に、本分野に詳しい当業者は本発明に基づいて各種の相応する改定または変形を行うことができ、これらの改定または変形はいずれも本発明の請求の範囲に含まれる。
【０１６０】
明らかに、当業者は、上記本発明における各モジュールまたは各ステップを汎用の計算装置で達成することができ、それらを単一の計算装置上に集中し、または複数の計算装置からなるネットワーク上に分布させてもよく、選択肢として、それらを計算装置の実行可能プログラムコードで達成することができ、それにより、それらを記憶装置中に記憶して計算装置で実行してもよく、かついくつかの場合で、ここでの秩序と異なる秩序で、示したまたは記述したステップを実行してもよく、またはそれらをそれぞれ各集積回路モジュールとして製作し、またはそれらのうちの複数のモジュールまたはステップを単一の集積回路モジュールとして製作して達成してもよいと理解できる。本発明はあらゆる特定形式のハードウェアとソフトウェアの組合せに限らない。
【産業上の利用可能性】
【０１６１】
上記実施例は異なる上り下り設定のサービスセルをキャリアアグリゲーションしかつＰＵＣＣＨ  ｆｏｒｍａｔ  １ｂとチャネルセレクションを組み合わせる方式を設定してＨＡＲＱ−ＡＣＫをフィードバックする時、ＰＵＣＣＨリソースが確定できない問題を解決する。
【図１】
0005891336.tif 000042
【図２】
0005891336.tif 000043
【図３】
0005891336.tif 000044
【図４】
0005891336.tif 000045
【図５】
0005891336.tif 000046
【図６】
0005891336.tif 000047
【図７】
0005891336.tif 000048
【図８】
0005891336.tif 000049
【図９】
0005891336.tif 000050
【図１０】
0005891336.tif 000051
【図１１】
0005891336.tif 000052
【図１２】
0005891336.tif 000053
【図１３】
0005891336.tif 000054